(57)【要約】  静電的に帯電したコーティング材料をスプレーするためのスプレーガン（１０）に結合された照明アセンブリ（１５）を開示する。スプレーガン（１０）は、バレル（３４）と、バレルから縦方向に延在するノズルアセンブリ（３６）と、電圧増倍器と、電圧増倍器を起動状態と停止状態との間で移行するように構成されたアクチュエータアセンブリ（５０）と、を備える、ガン本体（１１）を含む。照明アセンブリ（１５）は、照明と、照明に電気的に接続された回路と、を含む。回路は、電圧増倍器が起動状態であるときに、回路によって誘導的に得られる電気エネルギーを照明に供給するように構成される。照明アセンブリはまた、ハウジング（２００）、ハウジングに取り外し可能に取り付けられたレンズカバー（２０４）、及び照明の特性を変更するための制御部材も含むことができる。【選択図】  図２
2020512186.tif 000002
【特許請求の範囲】
【請求項１】
静電的に帯電したコーティング材料をスプレーするためのスプレーガンであって、
バレルと、前記バレルから縦方向に延在するノズルアセンブリと、電圧増倍器と、前記電圧増倍器を起動状態と停止状態との間で移行するように構成されたアクチュエータアセンブリと、を備える、ガン本体と、
前記ガン本体に結合された照明アセンブリであって、照明と、前記照明に電気的に接続された回路と、を含む、照明アセンブリと、を備え、
前記回路は、前記電圧増倍器が前記起動状態であるときに、前記回路によって誘導的に得られる電気エネルギーを前記照明に供給するように構成される、スプレーガン。
【請求項２】
前記照明アセンブリが、前記回路に電気的に接続された少なくとも１つの電池を更に備え、前記回路は、前記電圧増倍器が前記停止状態であるときに、所定の又は調節可能な期間にわたって、前記少なくとも１つの電池から得られる電気エネルギーを前記照明に供給するように構成される、請求項１に記載のスプレーガン。
【請求項３】
前記少なくとも１つの電池が、充電式であり、前記回路は、前記電圧増倍器が前記起動状態であるときに、前記少なくとも１つの電池を再充電するように構成される、請求項２に記載のスプレーガン。
【請求項４】
前記照明アセンブリによって放射される前記照明ビームの特性を変更するための制御を更に備える、請求項２に記載のスプレーガン。
【請求項５】
前記特性が、輝度レベル、時間モード、又は色温度である、請求項４に記載のスプレーガン。
【請求項６】
前記制御が、前記ガン本体の前記バレルの後端部に取り付けられたボタン又はスイッチを含む、請求項５に記載のスプレーガン。
【請求項７】
前記特性が、前記輝度レベルであり、前記ボタン又はスイッチの手動作動が、前記照明の前記輝度レベルを増加又は減少させる、請求項６に記載のスプレーガン。
【請求項８】
前記制御が、前記アクチュエータアセンブリを含む、請求項５に記載のスプレーガン。
【請求項９】
前記特性が、前記輝度レベルであり、前記アクチュエータアセンブリは、前記電圧増倍器が前記起動状態であるときに、多数のモードのうちの１つで作動するように構成され、前記多数のモードが、
第１のモードであって、前記アクチュエータアセンブリの第１の作動が、前記電圧増倍器を前記停止状態に移行させるように構成され、前記少なくとも１つの電池が、前記照明を第１の輝度レベルに維持するように構成される、第１のモードと、
第２のモードであって、前記アクチュエータの第２の作動が、前記電圧増倍器を前記停止状態に移行させるように構成され、前記少なくとも１つの電池が、前記照明を第２の輝度レベルに維持するように構成される、第２のモードと、を含み、前記第２の輝度レベルが、前記第１の輝度とは異なる、請求項８に記載のスプレーガン。
【請求項１０】
前記アクチュエータアセンブリが、トリガアセンブリであり、前記アクチュエータアセンブリの前記第１の作動が、前記トリガアセンブリの単回引きであり、前記アクチュエータアセンブリの前記第２の作動が、前記トリガアセンブリの２回引きである、請求項９に記載のスプレーガン。
【請求項１１】
前記電圧増倍器が、前記ガン本体内に配置された変圧器を備え、前記変圧器は、前記電圧増倍器が前記起動状態であるときに、磁界を生成する、請求項１に記載のスプレーガン。
【請求項１２】
前記回路が、縦方向に対して前記変圧器と半径方向に整列された誘導性構成要素を含む、請求項１１に記載のスプレーガン。
【請求項１３】
ブラケットと、
前記ブラケットを前記ガン本体の前記バレルに固定するための第１のアセンブリと、
前記ブラケットを前記照明アセンブリのハウジングに固定するための第２のアセンブリと、を更に備える、請求項１に記載のスプレーガン。
【請求項１４】
前記第１のアセンブリが、第１のねじであり、前記第２のアセンブリが、第２のねじである、請求項１３に記載のスプレーガン。
【請求項１５】
前記スプレーガンの前記バレルに対して配置されるように構成された下面と、前記下面に対向する上面と、前記上面から延在する延在部と、を有し、前記延在部が、第１のボアと、第２のボアと、を画定する、半円形基部を画定するスリーブと、
前記第１のボアを通して配置され、かつ前記照明アセンブリの前記ハウジングに係合するように構成された第１のアセンブリと、
前記第２のボアを通して配置され、かつ前記スプレーガンの前記バレルに係合するように構成された第２のアセンブリと、を更に備える、請求項１に記載のスプレーガン。
【請求項１６】
前記第１のアセンブリが、第１のねじであり、前記第２のアセンブリが、第２のねじである、請求項１５に記載のスプレーガン。
【請求項１７】
前記照明アセンブリが、前記スプレーガンに取り外し可能に結合される、請求項１に記載のスプレーガン。
【請求項１８】
前記照明アセンブリが、前記スプレーガンの前記バレルと一体化されたハウジングを含む、請求項１に記載のスプレーガン。
【請求項１９】
前記スプレーガンが、手で保持するスプレーガンであり、前記アクチュエータアセンブリが、前記静電的に帯電したコーティング材料のスプレーを制御するトリガアセンブリである、請求項１に記載のスプレーガン。
【請求項２０】
前記手で保持するスプレーガンは、粉末コーティング材料のスプレーガンである、請求項１９に記載のスプレーガン。
【請求項２１】
前記照明アセンブリは、第１のスプレーガンモデルに、又は前記第１のスプレーガンモデルとは異なる第２のスプレーガンモデルに接続することができる、請求項１に記載のスプレーガン。
【請求項２２】
前記照明アセンブリを前記第１のスプレーガンモデル又は前記第２のスプレーガンモデルに取り付けるためのアダプタを更に備える、請求項２１のスプレーガン。
【請求項２３】
前記照明アセンブリが、前記回路に電気的に接続された少なくとも１つの電池を更に含み、前記回路が、前記電圧増倍器によって生成された磁界の存在を感知するように構成され、よって、前記回路は、前記回路によって前記磁界が検出されていないときに、前記少なくとも１つの電池から前記照明に電力を提供する、請求項１に記載のスプレーガン。
【請求項２４】
前記回路は、前記回路によって前記磁界が検出されたときに、前記電圧増倍器によって生成される磁界から誘導的に得られる電気エネルギーを前記照明に供給するように構成される、請求項１に記載のスプレーガン。
【請求項２５】
前記照明アセンブリが、ハウジングと、前記ハウジングに取り外し可能に取り付けられたレンズカバーと、を含み、前記レンズカバーは、異なるレンズカバーと交換して、前記照明アセンブリから放射される前記照明ビームの色を調節することができる、請求項１に記載のスプレーガン。
【請求項２６】
前記照明を異なる照明と交換して、前記照明アセンブリから放射される前記照明ビームの色を調節することができるように、前記照明が、前記照明アセンブリに取り外し可能に取り付けられる、請求項１に記載のスプレーガン。
【請求項２７】
前記照明アセンブリが、ハウジングと、前記ハウジングに取り外し可能に取り付けられたレンズと、を含み、前記レンズは、異なるレンズと交換して、前記照明アセンブリから放射される前記照明ビームの焦点を変更することができる、請求項１に記載のスプレーガン。
【請求項２８】
静電的に帯電したコーティング材料をスプレーするためのスプレーガンに結合するように構成された照明アセンブリであって、前記スプレーガンは、電圧増倍器が磁界を生成した起動状態と、前記電圧増倍器が前記磁界を生成しない停止状態との間で移行可能な前記電圧増倍器を含み、前記照明アセンブリが、
ハウジングと、
前記ハウジングに取り付けられた照明と、
前記ハウジング内に収容された回路であって、前記回路が、前記照明に電気的に接続され、かつ前記回路によって誘導的に得られる電気エネルギーを前記照明に供給するように構成される、回路と、を備える、照明アセンブリ。
【請求項２９】
前記回路に電気的に接続された少なくとも１つの電池を更に備え、前記回路は、前記スプレーガンの前記電圧増倍器が停止状態であるときに、所定の又は調節可能な期間にわたって、前記少なくとも１つの電池から得られる電気エネルギーを前記照明に供給するように構成される、請求項２８に記載の照明アセンブリ。
【請求項３０】
前記回路が、前記スプレーガンの前記電圧増倍器によって生成された前記磁界の存在を感知するように構成され、よって、前記回路は、前記磁界が前記回路によって検出されていないときに、前記少なくとも１つの電池から前記照明に電力を提供する、請求項２９に記載の照明アセンブリ。
【請求項３１】
前記回路は、前記磁界が前記回路によって検出されたときに、前記スプレーガンの前記電圧増倍器によって生成される磁界から誘導的に得られる電気エネルギーを前記照明に供給するように構成される、請求項３０に記載の照明アセンブリ。
【請求項３２】
前記ハウジングに取り外し可能に取り付けられたレンズカバーを更に備え、前記レンズカバーは、異なるレンズカバーと交換して、前記照明アセンブリから放射される前記照明の色を調節することができる、請求項２８に記載の照明アセンブリ。
【請求項３３】
前記ハウジングに取り外し可能に取り付けられたレンズを更に備え、前記レンズは、異なるレンズと交換して、前記照明アセンブリから放射される前記照明の焦点を変更することができる、請求項２８に記載の照明アセンブリ。
【請求項３４】
前記回路が、共振周波数を有し、前記回路は、第１のスプレーガンが第１の共振周波数を有し、第２のスプレーガンが第２の共振周波数を有するときに、前記回路の前記共振周波数が、前記スプレーガンの前記電圧増倍器の共振周波数と一致して、前記第１及び第２のスプレーガン上の前記照明アセンブリの使用を可能にするように調整されるように構成され、前記第１及び第２の共振周波数が異なる、請求項２８に記載の照明アセンブリ。
【請求項３５】
前記回路が、第１のインダクタと、第１のコンデンサと、を含み、前記第１のインダクタが、第２のインダクタと交換されるように構成され、前記第１のコンデンサは、第２のコンデンサと交換して、前記第１又は第２のスプレーガンの前記電圧増倍器の共振周波数と一致するように前記回路の共振周波数を調整する、請求項３４に記載の照明アセンブリ。
【請求項３６】
前記照明アセンブリが、前記スプレーガンに取り外し可能に結合される、請求項２８に記載の照明アセンブリ。
【請求項３７】
静電的に帯電したコーティング材料をスプレーするためのスプレーガンであって、
バレルと、前記バレルから縦方向に延在するノズルアセンブリと、電圧増倍器と、前記電圧増倍器を起動状態と停止状態との間で移行するように構成されたアクチュエータアセンブリと、を備える、ガン本体と、
前記ガン本体に結合された照明アセンブリであって、ハウジングと、照明と、前記照明に電気的に接続された回路と、を含む、照明アセンブリと、前記照明アセンブリから放射される前記照明ビームの特性を変更するために、前記ハウジングに取り外し可能に取り付けられたレンズカバーと、を備える、スプレーガン。
【請求項３８】
前記レンズカバーは、異なるレンズカバーと交換して、前記照明アセンブリから放射される前記照明ビームの色を変更することができる、請求項３７に記載のスプレーガン。
【請求項３９】
前記レンズは、異なるレンズと交換して、前記照明ビームの焦点を変更することができる、請求項３７に記載のスプレーガン。
【請求項４０】
前記レンズにより、前記照明アセンブリによって放射される前記照明ビームが第１のビーム幅を有するようになり、前記異なるレンズにより、前記照明アセンブリによって放射される前記照明ビームが前記第１のビーム幅とは異なる第２のビーム幅を有するようになる、請求項３９に記載のスプレーガン。
【請求項４１】
静電的に帯電させたコーティング材料をスプレーするための、手で保持するスプレーガンであって、
バレルと、前記バレルから縦方向に延在するノズルアセンブリと、電圧増倍器と、前記スプレーガンからの前記静電的に帯電したコーティング材料の前記スプレーを制御するためのトリガアセンブリと、を備える、ガン本体と、
前記ガン本体に結合された照明アセンブリであって、照明と、前記照明に電気的に接続された回路と、を含む、照明アセンブリと、
前記照明アセンブリによって放射される前記照明の特性を変更するための前記ガン上の制御部材と、を備える、スプレーガン。
【請求項４２】
前記電気的に帯電したコーティング材料が、電気的に帯電した粉末コーティング材料である、請求項４１に記載のスプレーガン。
【請求項４３】
前記トリガアセンブリが、前記制御部材を備える、請求項４１に記載のスプレーガン。
【請求項４４】
前記トリガアセンブリの１つの作動が、前記照明アセンブリに、第１の輝度レベルの照明ビームを放射させ、所定の期間内の前記トリガアセンブリの２つ以上の作動が、前記照明アセンブリに、前記第１の輝度レベルと異なる第２の輝度レベルの照明ビームを放射させる、請求項４３に記載のスプレーガン。
【請求項４５】
前記ガンが、前記照明アセンブリによって放射される前記照明の特性に関するパラメータを選択するための第１の制御と、前記選択されたパラメータの値を変更するための第２の制御と、を含む、請求項４１に記載のスプレーガン。
【請求項４６】
静電的に帯電したコーティング材料をスプレーするためのスプレーガンであって、
バレルと、前記バレルから縦方向に延在するノズルアセンブリと、電圧増倍器と、前記ガンからの前記コーティング材料のスプレーを制御するためのアクチュエータアセンブリと、を備える、ガン本体と、
前記ガン本体に結合された照明アセンブリであって、前記照明アセンブリが、照明と、前記照明に電気的に接続された回路と、を含み、前記照明アセンブリが、ハウジングに収容される、照明アセンブリと、を備え、
前記ハウジングの壁を通過するいかなる電気コネクタも存在しない、スプレーガン。
【請求項４７】
前記回路は、前記電圧増倍器が起動状態であるときに、前記電圧増倍器から前記回路によって誘導的に得られる電気エネルギーを前記照明に供給するように構成される、請求項４６に記載のスプレーガン。
【発明の詳細な説明】
【技術分野】
【０００１】
（関連出願の相互参照）
本出願は、２０１７年３月２１日に出願された米国仮特許出願第６２／４７４，５８０号の利益を主張し、その開示が参照により本明細書に組み込まれる。
【０００２】
（発明の分野）
本開示は、概して、照明アセンブリに関し、より具体的には、付属の照明アセンブリを含む、材料塗布装置、例えばスプレーガンに関する。
【背景技術】
【０００３】
スプレーガンなどの材料塗布装置は、物体、部品、又は他の被加工物若しくは表面にコーティング材料を塗布するために使用される。コーティング材料は、必要に応じて液体、粉末、又は他の材料とすることができ、また、スプレーガンによって静電的に帯電させることができる。静電的に帯電したコーティング材料を使用することは、多くの利点を有し得る。例えば、静電的に帯電したコーティング材料の使用は、被加工物に接触していないコーティング材料粒子は、静電荷により被加工物に引き寄せられるので、オーバースプレーを制限する。これは、無駄になるコーティング材料の削減、したがって、コストの削減を支援する。
【０００４】
手動で動作させることができるスプレーガンの動作中に、ユーザは、スプレーガンの使用を周期的に中止し、作業部分を視覚的に検査して、加工部分が十分にコーティングされたことを確実にすることが必用であり得る。いくつかのコーティング材料の微細性質、又は暗い照明などのスプレーが生じる周囲条件のため、被加工物に塗布されるコーティング材料の量又は一貫性は、外部照明を有しないユーザには容易に明らかにならない場合がある。被加工物を検査するために、ユーザは、しばしば、作業領域を照明するために、ＬＥＤ照明などの照明の使用を用いる必要がある。しかしながら、従来の照明は、コーティング動作に必要とされる用具の数を増やし、かつ外部電源への接続を必要とする。
【０００５】
したがって、スプレーガンに取り付けることができて、外部電源への物理的な接続を必要としない照明アセンブリに対する必要性が存在する。
【発明の概要】
【０００６】
静電的に帯電したコーティング材料をスプレーするためのスプレーガンを開示する。スプレーガンは、バレルと、バレルから縦方向に延在するノズルアセンブリと、電圧増倍器と、電圧増倍器を起動状態と停止状態との間で移行するように構成されたアクチュエータアセンブリと、を備える、ガン本体を含む。スプレーガンは、ガン本体に結合された照明アセンブリを含み、照明アセンブリは、照明と、照明に電気的に接続された回路と、を含む。回路は、電圧増倍器が起動状態であるときに、回路によって誘導的に得られる電気エネルギーを照明に供給するように構成される。
【０００７】
本発明の別の実施形態は、静電的に帯電したコーティング材料をスプレーするためのスプレーガンに結合するように構成された照明アセンブリであり、スプレーガンは、電圧増倍器が磁界を生成した起動状態と、電圧増倍器が磁界を生成しない停止状態との間で移行可能な電圧増倍器を含む。照明アセンブリは、ハウジングと、ハウジングに取り付けられた照明と、ハウジング内に収容された回路と、を含み、回路は、照明に電気的に接続され、かつ回路によって誘導的に得られる電気エネルギーを照明に供給するように構成される。
【０００８】
本開示の更なる実施形態は、静電的に帯電したコーティング材料をスプレーするためのスプレーガンである。スプレーガンは、バレルと、バレルから縦方向に延在するノズルアセンブリと、電圧増倍器と、電圧増倍器を起動状態と停止状態との間で移行するように構成されたアクチュエータアセンブリと、を備える、ガン本体を含む。スプレーガンはまた、ガン本体に結合された照明アセンブリも含み、照明アセンブリは、ハウジング、照明、照明に電気的に接続された回路、並びにハウジングに取り外し可能に取り付けられて、照明アセンブリから放射される照明の特性を変更するレンズカバーも含む。
【０００９】
本開示の一実施形態は、静電的に帯電したコーティング材料をスプレーするための、手で保持するスプレーガンである。スプレーガンは、バレルと、バレルから縦方向に延在するノズルアセンブリと、電圧増倍器と、スプレーガンからの静電的に帯電したコーティング材料のスプレーを制御するためのトリガアセンブリと、を備える、ガン本体を含む。スプレーガンはまた、ガン本体に結合された照明アセンブリ、照明及び照明に電気的に接続された回路を含む照明アセンブリ、並びに照明アセンブリによって放射される照明の特性を変更するためのガン上の制御部材も含む。
【００１０】
本開示の追加的な一実施形態は、静電的に帯電したコーティング材料をスプレーするためのスプレーガンである。スプレーガンは、バレルを備えるガン本体と、バレルから縦方向に延在するノズルアセンブリと、電圧増倍器と、ガンからのコーティング材料のスプレーを制御するためのアクチュエータアセンブリと、を含む。スプレーガンはまた、ガン本体に結合された照明アセンブリも含み、照明アセンブリは、照明と、照明に電気的に接続された回路と、を含み、照明アセンブリは、ハウジングに収容され、ハウジングの壁を通過するいかなる電気コネクタも存在しない。
【００１１】
前述の「発明の概要」、及び以下の「発明を実施するための形態」は、添付の図面と併せて読むと、よりよく理解されるであろう。図面は、本開示の例示的な実施形態を示している。しかしながら、本願は、図示されている正確な配置及び手段に制限されるものではないことを理解されたい。
【図面の簡単な説明】
【００１２】
【図１】照明アセンブリを取り付けていない、本開示の一実施形態によるスプレーガンの正面斜視図である。
【図２】照明アセンブリを取り付けた、本開示の一実施形態によるスプレーガンの正面斜視図である。
【図３】図２に示されるスプレーガンの背面斜視図である。
【図４】本開示の一実施形態によるスプレーガンの概略図である。
【図５】図２に示される線５−５に沿った縦方向の断面における、図２に例示されるスプレーガンの断面図である。
【図６】図５の前方の円で囲まれた領域によって示される、図２のスプレーガンの前方セクションの断面図である。
【図７】図５の後方の円で囲まれた領域によって示される、図２のスプレーガンの後方セクションの断面図である。
【図８】図２に示されるスプレーガンの照明アセンブリの正面斜視図である。
【図９】図８に示される照明アセンブリの背面斜視図である。
【図１０】図２に示されるスプレーガンの分解図である。
【図１１】図８に示される照明アセンブリの分解図である。
【図１２】電池ハウジングを取り外した、図８に示される照明アセンブリの背面斜視図である。
【図１３】本開示の一実施形態による照明アセンブリの回路の一実施形態を例示する図である。
【図１４Ａ】本開示の一実施形態による照明アセンブリの共振回路の一実施形態を例示する図である。
【図１４Ｂ】本開示の一実施形態による照明アセンブリの共振回路の別の実施形態を例示する図である。
【図１４Ｃ】本開示の一実施形態による照明アセンブリの共振回路の更なる実施形態を例示する図である。
【図１５】照明アセンブリを取り付けた、本開示の一実施形態による別のスプレーガンの斜視図である。
【図１６】図１５に示される線１６−１６に沿って切断した、図１５に示されるスプレーガン及び照明アセンブリの断面図である。
【図１７】図１６の円で囲まれた領域によって示される、図１５に示されるスプレーガンの後方部分の断面図である。
【図１８】図１５に示されるスプレーガンのバレルの簡略背面図である。
【図１９】本開示の照明アセンブリに含まれる第２の回路の一実施形態の概略図である。
【図２０】照明アセンブリを取り付けた、本開示の一実施形態による別のスプレーガンの斜視図である。
【図２１】図２０に示される線２１−２１に沿って切断した、図２０に示されるスプレーガン及び照明アセンブリの断面図である。
【図２２】図２０に示されるスプレーガン及び照明アセンブリの分解図である。
【発明を実施するための形態】
【００１３】
磁界Ｈを生成する電圧増倍器１４０、６６６と、変圧器１６０、６６８と、を含む、スプレーガン１０、１０ａ、１０ｂを本明細書で説明する。スプレーガン１０は、照明アセンブリ１５、１５ａを更に含み、照明アセンブリ１５、１５ａは、磁界Ｈから誘導的に得られる電気エネルギーによって給電されるように構成されたＬＥＤ２６８、４００を含む。以下の説明では、スプレーガン１０、１０ａ、１０ｂを説明するために特定の専門用語を使用するが、便宜のためだけであり、限定するものではない。「右」「左」、「下部」、及び「上部」という用語は、参照が行われている図面内での方向を示す。「内側」及び「外側」という用語は、それぞれ、スプレーガン１０、１０ａ、１０ｂ及びその関連部品を説明するために、説明の幾何中心に向かう、及びそこから離れる方向を指す。「前方」及び「後方」という用語は、スプレーガン１０、１０ａ、１０ｂ及びその関連部品に沿って、縦方向２の方向、及び縦方向２の反対方向を指す。専門用語は、上で列記した用語、それらの派生語、及び類似する意味の用語を含む。
【００１４】
本明細書で別途指定されない限り、「縦」、「垂直」、及び「横」は、縦方向２、横方向３、及び垂直方向４によって示されるように、スプレーガン１０、１０ａ、１０ｂの様々な構成要素の直交方向の構成要素を説明するために使用される。縦方向２及び横方向３は、水平面に沿って延在するように例示され、垂直方向４は、垂直面に沿って延在するように例示されるが、様々な方向を包含する面は、使用中に異なり得ることを認識されたい。
【００１５】
スプレーガン
図１〜図３を参照すると、スプレーガン１０は、バレル３４を画定し得るガン本体１１と、縦方向２に沿ってバレル３４から延在するノズルアセンブリ３６と、ハンドル３２と、を含むことができる。スプレーガン１０は、手動で動作させることができる。スプレーガン１０は、例えば、Ｎｏｒｄｓｏｎ  Ｃｏｒｐｏｒａｔｉｏｎ、Ｗｅｓｔｌａｋｅ、Ｏｈｉｏから入手可能であるＥＮＣＯＲＥ（登録商標）モデルのマニュアルスプレーガンとすることができる。ＥＮＣＯＲＥ（登録商標）モデルのマニュアルスプレーガンは、ベンチュリポンプからの希薄相又は高密度低速（ＨＤＬＶ）ポンプからの濃密相などの、粉末コーティング材料を被加工物に塗布するように設計される。典型的に、ノズルアセンブリ３６、バレル３４、及びハンドル３２は、それぞれ、多部品アセンブリであり、また、互いに分離可能でもある。しかしながら、本開示は、スプレーガン１０又はその構成部品のいかなる特定の設計、形状、又は構成にも限定されない。スプレーガン１０は、機械加工部品、成型部品、それらの組み合わせ、一体化部分などを含むことができる。スプレーガン１０のバレル３４は、バレル３４の頂部から上方へ延在するアプリケータフック４０を含むことができる。スプレーガン１０はまた、バレル３４に取り外し可能に取り付けることができる照明アセンブリ１５も含むことができる。図１は、照明アセンブリ１５が取り付けられていない、スプレーガン１０を表し、一方で、図２及び図３は、照明アセンブリ１５が取り付けられたスプレーガン１０を表す。照明アセンブリ１５、及びそれをスプレーガン１０に係合する手段を更に下で説明する。
【００１６】
示されるように、ハンドル３２は、手で把持するように構成され、また、ユーザの手に接触し、かつ接地される部分を含むことができる。一実施形態において、ハンドル３２は、ワイヤ９１を通して電気的接地９０に接続される（図４）。ハンドル３２は、スプレーガン１０への入力及び他の接続部がそこを通って入ることができる基部３３を画定し、下で更に説明する。ハンドル３２は、ユーザが手でスプレーガン１０の動作を開始及び終了させることを可能にする、アクチュエータアセンブリ４５を更に含むことができる。一実施形態において、アクチュエータアセンブリ４５は、トリガアセンブリ５０とすることができる。しかしながら、スイッチ、ノブ、レバーなどの、アクチュエータアセンブリ４５の他の実施形態が想到される。説明の便宜上、「ハンドル」という用語は、概して、ハンドル、グリップ、又はハンドル３２などの実施形態である他の構造体を伴うスプレーガン１０を支持及び制御するために、スプレーガン１０の動作中に操作者によって手で保持又は把持される任意の構造物、アセンブリ、又は部材を指す。
【００１７】
図４を参照すると、上で述べたように、ハンドル３２は、スプレーガン１０への入力及び他の接続部がそこを通って入ることができる基部３３を画定する。コーティング材料供給源６０は、コーティング材料のスプレーガン１０への供給源として使用することができる。コーティング材料は、コーティング材料供給源６０から、コーティング材料流れ制御弁６１を通し、供給ホース６４を通して、スプレーガン１０まで導くことができる。供給ホース６４は、下で論じる入口管１５４に接続することができる。コーティング材料流れ制御弁６１は、コーティング材料のスプレーガン１０への流れを制御することができるが、本発明の別の実施形態において、コーティング材料流れ制御弁６１は、コーティング材料ポンプ（図示せず）への空気の流れを制御する。コーティング材料をスプレーガン１０へ導くべきであるときに、コントローラ７２は、コーティング材料流れ制御弁６１を動作させて、コーティング材料をコーティング材料供給源６０から導くことを可能にする。コントローラ７２は、スプレーガンの電気的要件の入力電力及び動作を制御するための、並びにコーティング材料供給源６０、コーティング材料流路１９を掃除するためのパージ空気供給源７８（後述する図５）、コーティング材料流れ制御弁６１、及び他の関連する特徴の動作を制御するための、当技術分野で知られているような任意の適切な配設とすることができる。コーティング材料供給源６０は、多くの異なる構造を有することができ、かつ粉末又は液体のコ−ティング材料などの異なるタイプのコーティング材料を収容することができる。コーティング材料供給源６０からノズルアセンブリ３６へのコーティング材料の流れは、アクチュエータアセンブリ４５によって制御することができる。アクチュエータアセンブリ４５を手で作動させると、コントローラ７２がコーティング材料流れ制御弁６１を閉鎖位置から開放位置へ作動させ、コーティング材料が供給ホース６４を通ってスプレーガン１０まで流れることを可能にする。コーティング材料供給源６０は、典型的に、コントローラ７２の制御下にあるポンプ（図示せず）を含み、それにより、コントローラ７２は、操作者がアクチュエータアセンブリ４５を作動させることに応じてポンプを始動する。ポンプを始動することで、コーティング材料をハンドル３２、バレル３４を通し、ノズル２０によって画定されたスプレー出口１０４を通して外に流れさせて、所望のスプレーパターンを形成させる。
【００１８】
スプレーガン１０はまた、電圧増倍器１４０（図５）に給電するように構成された電源９３も含む。電源９３は、図４に示されるように直流電圧の供給源とすることができるか、又は交流電圧の供給源とすることができる。電気ケーブル又は接続部７０は、コントローラ７２と電圧増倍器１４０の電気入力１７０との間に提供することができる。電圧増倍器１４０に通電するために、コントローラ７２は、スイッチ９４を例示される開放位置から閉鎖位置へ移動させて、電源９３を電気入力１７０に、したがって、電圧増倍器１４０に接続する。
【００１９】
同時に、コーティング材料流れ制御弁６１を開き、スイッチ９４を閉じると、コントローラ７２は、弁９７を閉鎖位置から開放位置へ作動させて、電極洗浄空気源９６からの加圧下の空気が空気通路１４８（図５）を通って流れることを可能にすることができる。空気通路１４８は、スプレーガン１０のハンドル３２を通り、バレル３４を通って、ノズルアセンブリ３６まで延在する。電極洗浄空気源９６からの加圧空気の機能は、下で更に述べる。
【００２０】
スプレーガン１０はまた、コントローラ７２によって制御されるパージ空気供給源７８も含むことができる。パージ空気供給源７８は、加圧パージ空気又は他のガスを、制御弁７９、及びパージ空気供給源７８をスプレーガン１０に接続するパージホース８２を通して提供するために使用することができる。パージホース８２は、ハンドル３２上の適切なコネクタ（図示せず）に接続可能であり得る。パージ空気供給源７８にアクセスすると、制御弁７９を通るパージ空気の流れを開始し、したがって、制御弁７９を閉鎖位置から開放位置へ開くための信号がコントローラ７２に送信される。この時点で、コーティング材料流れ制御弁６１は、閉鎖されて、供給ホース６４を通したコーティング材料の流れを遮断する。特に、パージ空気は、ハンドル３２の基部３３を通して配置された入口（図示せず）を通して、スプレーガン１０の中へ導入することができる。パージ空気供給源７８及び関連する要素は、以前のコーティング材料とは異なる特徴を有する新しいコーティング材料が導入されるときには常に、コーティング材料流路１９（下で更に説明する）をパージするように構成することができる。これは、新しいコーティング材料の不必要な混入を防止することができる。
【００２１】
図５及び図６を参照すると、ノズルアセンブリ３６は、縦方向２に沿ってバレル３４の前端部に取り付けられる。ノズルアセンブリ３６は、ノズル２０、並びにノズル２０をバレル３４に取り付けるように構成されたノズルナット３８を含むことができる。ノズルナット３８は、様々な手段によってバレル３４に取り外し可能に取り付けることができる。一実施形態において、ノズルナット３８は、ねじ切りされる。ノズル２０は、様々な所望のスプレーパターンに適応するように構成することができる。例えば、ノズル２０は、スロット型ノズル２３とすることができる。しかしながら、他のノズル構成が想到される。
【００２２】
図４及び図５を参照すると、供給ホース６４は、入口管１５４に接続することができ、この入口管は、ハンドル３２通って上へ延在し、伸縮自在の接続部と、例えばエルボアダプタ１５０の一方の端部と嵌合することができる。エルボアダプタ１５０は、伸縮自在の接続部を通して、例えば出口管１８の第１の端部と嵌合することができる、別の端部を有する。出口管１８は、コーティング材料が出口管１８の前端部を通って出てノズル２０の中へ入るように、バレル３４に沿ってノズルアセンブリ３６まで延在することができる。代替の実施形態において、例えば、出口管１８は、それ自体が、コーティング材料がそこを通ってノズル２０を出る出口オリフィスを形成又は提供することができる。入口管１５４、エルボアダプタ１５０、及び出口管１８は、組み合わせて、（数字１９と関連付けられた矢印によって表されるように）コーティング材料流路１９を形成することができ、この流路は、ハンドル３２から、バレル３４に沿って、ノズルアセンブリ３６まで延在する。図５において、コーティング材料流路１９の一部分は、ハンドル３２の内部容積内に配置される。しかしながら、コーティング材料流路１９は、ハンドル３２の外壁の一部である部分を含むことができる。加えて、コーティング材料流路１９は、スプレーガン１０のガン本体１１内に一体的に形成された通路によって画定することができる。
【００２３】
引き続き図４〜図６を参照すると、電極洗浄空気源９６に接続する空気通路１４８は、ハンドル３２を通って上へ、バレル３４に沿って、電極支持アセンブリ１１２の中へ入り、角度付きダクト１１４を通り、そして、電極通路１０８ａを通って延在して、電極先端１００ａへのコーティング材料の堆積を防止するのを補助することができる。フィルタ１４９は、空気通路１４８に接続して、コーティング材料が空気通路１４８の中へ逆に移動するのを防止することができる。更に、電極支持アセンブリ１１２は、ノズルアセンブリ３６内に収容することができる。電極支持アセンブリ１１２は、出口管１８に接続されるスパイダ１１８内で受容される第１の端部を有する、電極ホルダ１０８を含むことができる。電極支持アセンブリ１１２は、干渉嵌合によって出口管１８に接続することができ、電極支持アセンブリ１１２の後端部は、出口管１８の前端部との干渉嵌合を形成する。封止部１４４は、出口管１８の前端部の周囲に配置して、コーティング材料が、ガン本体１１の後方セクションに漏出するのを防止することができる。代替的に、出口管１８は、保持シール部材（図示せず）によって、スパイダ１１８に隣接して位置付け、保持することができる。スパイダ１１８は、ノズルナット３８がバレル３４の前端部に締め込まれたときに、スプレーノズル２０とバレル３４の前端部との間で捕捉することができる。電極ホルダ１０８は、電極ホルダ１０８を通って縦方向２に延在する電極通路１０８ａを画定することができる。電極通路１０８ａは、電極１００を受容するように構成することができる。電極１００は、電極ホルダ１０８の外側で縦方向２に延在する電極先端１００ａを画定することができる。しかしながら、電極先端１００ａは、縦方向２、横方向３、及び垂直方向４の任意の組み合わせで電極ホルダ１０８から延在することができる。電極１００は、電極先端１００ａに対向して縦方向２に沿って配置されたコイル状端部１００ｂを含むことができる。コイル状端部１００ｂは、スパイダ１１８によって画定された盲孔１１６の中へ延在することができる。スパイダ１１８は、フランジ１２０を通って外方へ延在する２つの角度付きダクト１１３及び１１４を画定することができる。角度付きダクトのうちの１つ１１３には、電流制限抵抗器１２２を配置することができ、この抵抗器は、電極１００のコイル状端部１００ｂに接触する第１のリード１２４と、導電リング１３２に接触する第２のリード１２８と、を有することができる。導電リング１３２は、フランジ１２０の後面側で支持することができる。導電リング１３２は更に、出力接点ピン１３６に接続することができ、このピンはまた、ガン本体１１内に配置された電圧増倍器１４０にも接続することができる。したがって、電圧増倍器１４０は、電極１００が電圧増倍器１４０から高電圧の電気エネルギーを受容することができるように、電極１００に電気的に接続される。電極１００は、次いで、電界を確立し、この電界は、ノズルアセンブリ３６を出るときにコーティング材料を帯電させる。電圧増倍器１４０は、更に下で述べる。
【００２４】
ノズルアセンブリ３６の外側に位置付けられた電極先端などの数多くの異なるタイプの電極を使用することができる。加えて、多くの異なるタイプの電力供給源の設計、構成、及び場所を、スプレーガン１０内に配置された電圧増倍器１４０以外で使用することができる。例えば、スプレーガン１０は、スプレーガン１０の完全に外部にある電力供給源を含むことができる。電極支持アセンブリ１１２はまた、コーティング材料がスパイダ１１８を超えて、スプレーノズル２０の中へ流れることを可能にする流路（図示せず）も含む。電極洗浄空気源９６から加圧空気を受容する空気通路１４８は、ハンドル３２を通って上へ、バレル３４を通り、電極支持アセンブリ１１２に入り、ノズル２０まで延在して、電極洗浄空気をノズルアセンブリ３６に提供することができる。特に、加圧空気は、空気通路１４８を通り、空気嵌合金具（図示せず）を通り、スパイダ１１８のダクト１１３及び１１４まで流れることができる。
【００２５】
図５及び図７を参照して、スプレーガン１０の電圧増倍器１４０及び関連する構成要素を説明する。コーティング材料は、スプレーガンに進入するときに、最初は帯電されていないので、電圧増倍器１４０は、コーティング材料がスプレーガン１０を通過するときに、電極１００を通して帯電させる役割を果たす。スプレーガン１０のユーザによるアクチュエータアセンブリ４５の作動に応じて、電圧増倍器１４０が同時に通電される。その結果、電圧増倍器１４０は、電極１００が、ノズルアセンブリ３６内に電界を確立することを可能にする。
【００２６】
電圧増倍器１４０は、電気入力１７０に電気的に接続されており、電気入力１７０は電圧増倍器１４０をスプレーガン１０の電気ケーブル７０に接続し、同様に、電源９３に電気的に接続されている。コントローラ７２がスイッチ９４を開放位置から閉鎖位置へ作動させたときに、電圧増倍器１４０が起動し、よって、電圧増倍器１４０が電源９３に電気的に接続される。同様に、コントローラ７２がスイッチ９４を閉鎖位置から開放位置へ作動させたときに、電圧増倍器１４０が停止し、よって、電圧増倍器１４０が電源９３から電気的に接続解除される。その結果、電圧増倍器１４０は、起動状態と停止状態との間を交替するように構成される。一実施形態において、アクチュエータアセンブリ４５は、コントローラ７２に、スイッチ９４を作動させるように命令する。したがって、この実施形態において、アクチュエータアセンブリ４５は、電圧増倍器１４０を起動状態と停止状態との間で切り替える。
【００２７】
電源９３は、低圧直流を電圧増倍器１４０に提供するように構成することができる。電圧増倍器１４０は、電源９３からの低圧直流を交流に変換する発振器を含むことができる。電圧増倍器１４０は、発振器からの電圧を高くする変圧器１６０を更に含むことができる。例えば、電圧増倍器１４０は、電圧を、８０，０００〜１００，０００ボルトなどの非常に高い電圧に上昇させることができる。変圧器１６０は、第１の端部１６４ａと、第１の中心軸Ａ１に沿って第１の端部１６４ａに対向する第２の端部１６４ｂと、を含むことができる。一実施形態において、第１の中心軸Ａ１は、縦方向２と平行とすることができる。しかしながら、第１の中心軸Ａ１は、縦方向２、横方向３、垂直方向４、又はこれらの任意の組み合わせのいずれかに沿って延在することができる。電圧増倍器１４０が起動すると、電圧が電圧増倍器１４０に印加され、変圧器１６０が磁界Ｈを生成する。
【００２８】
取り外し可能に取り付けられる照明アセンブリ
図８〜図１３を参照して、照明アセンブリ１５を更に詳細に論じる。照明アセンブリ１５は、電池２４８などの、照明アセンブリ１５の様々な構成要素を収容するために略中空である、電池ハウジング２００を含む。電池ハウジング２００は、ポリカーボネートプラスチックで構成することができるが、他の材料が想到される。電池ハウジング２００はまた、ねじ山インサート２１６も含むことができ、これは、電池ハウジング２００の硬度よりも高い硬度を有する、金属又は別の材料で構成することができる。ねじ山インサート２１６は、下で更に説明するように、ねじ２３２ｂを受容するように構成することができる。照明アセンブリ１５は、２つの電池２４８を含むように示されているが、照明アセンブリ１５は、所望に応じて、１つの電池又は２つを超える電池を含むことができる。各電池２４８は、第１の端部２４８ａ及び第２の端部２４８ｂを画定することができ、第１の端部２４８ａ及び第２の端部２４８ｂの各々は、異なる極性を画定する。電池ハウジング２００は、電池２４８の対応する１つを受容するように各々がサイズ決定された複数の電池チャンバを画定することができる。例えば、示される実施形態に示されるように、電池ハウジング２００は、第１の電池チャンバ２００ａ、及び横方向３に沿って第１の電池チャンバ２００ａから離間された第２の電池チャンバ２００ｂを画定することができる。２つの電池チャンバが示されているが、電池ハウジング２００は、所望に応じて、より多くの電池チャンバを画定することができる。第１の電池チャンバ２００ａ及び第２の電池チャンバ２００ｂは、下で更に説明されるインダクタプリント回路基板アセンブリ（ＰＣＡ）２５８を受容するように構成された中央チャンバ２０２によって分割することができる。第１の電池チャンバ２０２ａ及び第２の電池チャンバ２０２ｂ内に配置された電池２４８の各々は、従来のＡＡＡ又はＡＡのアルカリ電池などの非充電式電池とすることができる。しかしながら、電池２４８は、所望に応じて、他のタイプの非充電式電池又は充電式電池で構成することができる。電池２４８は、照明アセンブリ１５が任意の外部電力の入力を伴うことなく独立して動作することができるように、並列又は直列に接続することができ、また、照明アセンブリ１５のための１つの電力供給源として機能することができる。
【００２９】
電池２４８を電池ハウジング２００内に固定するために、照明アセンブリ１５は、第１の電池キャップアセンブリ２１２ａと、第２の電池キャップアセンブリ２１２ｂと、を含むことができる。２つの電池キャップアセンブリが示されているが、電池キャップアセンブリの数は、変えることができるが、概して、電池ハウジング２００内に収容される電池２４８の数に対応する。第１の電池キャップアセンブリ２１２ａ及び第２の電池キャップアセンブリ２１２ｂの各々は、電池キャップ２２４と、電池端子２２８と、を含むことができる。電池端子２２８は、ニッケルめっき鋼などの導電材料で構成することができる。しかしながら、電池端子２２８は、任意の種類の導電材料で構成できることが想到される。照明アセンブリ１５が完全に組み立てられると、各電池端子２２８を、電池端子２２８が電池２４８の第１の端部２４８ａと直接接触するように、それぞれの電池キャップ２２４とそれぞれの電池２４８の第１の端部２４８ａとの間に配置することができる。その結果、電池端子２２８は、電池２４８の第１の端部２４８ａとＬＥＤ  ＰＣＡ２５６との間の導電性媒体として機能する。各電池キャップ２２４は、対応する電池端子２２８及び電池２４８を電池ハウジング２００内に固定すること、並びに電池ハウジング２００との直接係合を通して、電池端子２２８を電池２４８と直接接触させることができる。示される実施形態において、各電池キャップ２２４は、電池ハウジング２００の内面に画定された内部ねじ切りに係合して、電池キャップ２２４を電池ハウジング２００に取り外し可能に係止するように構成された、外部ねじ切りを画定する。電池キャップ２２４を電池ハウジング２００に固定するためのねじ係合が示されているが、プレス嵌め又はスナップ係合などの他の係合方法が想到される。
【００３０】
電池キャップ２２４の各々は、第１の電池キャップアセンブリ２１２ａ及び第２の電池キャップアセンブリ２１２ｂが電池ハウジング２００に取り付けられたときに外方へ面するそれぞれのキー２２０ａ、２２０ｂを、電池キャップ２２４の側部の画定することができる。キー２２０ａ、２２０ｂは、多数の機能を有し、これらのキーの形状は、電池ハウジング２００内に配置された電池２４８の極性をスプレーガン１０の操作者に示すことができ、並びに操作者が、電池ハウジング２００から第１の電池キャップアセンブリ２１２ａ及び第２の電池キャップアセンブリ２１２ｂをねじ外しするための特定の用具によって電池キャップ２２４に係合することを可能にするように成形することができる。例えば、キー２２０ａ、２２０ｂは、プラス記号として成形することができる。これは、電池２４８の第１の端部２４８ａが正の極性を有することを操作者に知らせ、操作者が、標準又はプラスのドライバを使用して、電池ハウジング２００から第１の電池キャップアセンブリ２１２ａ及び第２の電池キャップアセンブリ２１２ｂを係合解除することを可能にすることができる。キー２２０ａ、２２０ｂは、プラス記号として成形されているように示されているが、他の形状及び構成が想到される。
【００３１】
照明アセンブリ１５は、第１の電池キャップアセンブリ２１２ａ及び第２の電池キャップアセンブリ２１２ｂを受容するためのランヤード２０８も含むことができる。ランヤード２０８は、実質的に可撓性とすることができ、プラスチック又は類似的に屈曲可能な材料で構成することができる。ランヤード２０８は、一方の横方向側部の第１の開口部２０９ａ及び他方の横方向側部の第２の開口部２０９ｂを画定するエラストマを画定する。２つの開口部が表されているが、ランヤード２０８は、所望に応じてより多くの開口部を画定することができるが、開口部の数は、概して、電池キャップアセンブリの数に対応する。第１の開口部２０９ａは、第１の電池キャップアセンブリ２１２ａの電池キャップ２２４を受容するようにサイズ決定され、一方で、第２の開口部２０９ｂは、第２の電池キャップアセンブリ２１２ｂの電池キャップ２２４を受容するようにサイズ決定される。第１の電池キャップアセンブリ２１２ａ及び第２の電池キャップアセンブリ２１２ｂが、第１の開口部２０９ａ及び第２の開口部２０９ｂを通して配置され、電池ハウジング２００に取り付けられると、ランヤード２０８が電池キャップ２２４と電池ハウジング２００との間に確実に固定されるように、電池キャップ２２４の各々がランヤード２０８に対して押圧される。第１の電池キャップアセンブリ２１２ａ及び第２の電池キャップアセンブリ２１２ｂは、第１の開口部２０９ａ及び第２の開口部２０９ｂを通して配置したままの状態にすることができるので、第１の電池キャップアセンブリ２１２ａ及び第２の電池キャップアセンブリ２１２ｂを電池ハウジング２００から取り外すときに、ランヤード２０８の第１の開口部２０９ａ及び第２の開口部２０９ｂは、第１の電池キャップアセンブリ２１２ａ及び第２の電池キャップアセンブリ２１２ｂが誤って配置されることを防止するのを支援する。その結果、ランヤード２０８、並びに第１の電池キャップアセンブリ２１２ａ及び第２の電池キャップアセンブリ２１２ｂは、電池ハウジング２００から取り外すときに、ユニットとして移動させることができる。第１の電池キャップアセンブリ２１２ａ及び第２の電池キャップアセンブリ２１２ｂがランヤード２０８を電池ハウジング２００に固定するときには、ランヤード２０８と電池ハウジング２００との間に間隙２１０が画定される。間隙２１０は、第１の電池キャップアセンブリ２１２ａと第２の電池キャップアセンブリ２１２ｂとの間の中央に位置付けることができ、かつスプレーガン１０のアプリケータフック４０を受容するように構成することができる。
【００３２】
図１１〜図１２を続けると、図１３の回路３００は、ＬＥＤ  ＰＣＡ２５６及びインダクタＰＣＡ２５８に載置される。インダクタＰＣＡ２５８は、インダクタＰＣＡ２５８がＬＥＤ  ＰＣＡ２５６から中央チャンバ２０２を通って縦方向に延在するように、ＬＥＤ  ＰＣＡ２５６によって、電池ハウジング２００の中央チャンバ２０２内で支持することができる。インダクタＰＣＡ２５８はまた、インダクタ２５９も含むことができ、下で説明するように、インダクタ２５９が磁界Ｈの近傍に配置されたときに、電流を誘導することができる。インダクタＰＣＡ２５８の反対側には、ＬＥＤ２６８がＬＥＤ  ＰＣＡ２５６に取り付けられ、このＬＥＤは、スプレーガン１０からコーティング材料が塗布される被加工物（図示せず）を照明し、検査するためのインダクタＰＣＡ２５８に電気的に接続される。ＬＥＤ２６８は、白色ＬＥＤとすることができるが、他のタイプのＬＥＤが想到される。ＬＥＤ  ＰＣＡ２５６は、インダクタＰＣＡ２５８の両側でＬＥＤ  ＰＣＡ２５６から各々が縦方向に延在する、第１のアーム２５５ａと、第２のアーム２５５ｂと、を含むことができる。第１のアーム２５５ａ及び第２のアーム２５５ｂの各々は、導電性材料で構成することができる。照明アセンブリ１５が完全に組み立てられると、第１のアーム２５５ａ及び第２のアーム２５５ｂの各々が電池端子２２８のうちの１つと接触する。示されるように、第１のアーム２５５ａは、第１の電池キャップアセンブリ２１２ａの電池端子２２８と接触し、第２のアーム２５５ｂは、第２の電池キャップアセンブリ２１２ｂの電池端子２２８と接触する。その結果、第１のアーム２５５ａ及び第２のアーム２５５ｂは、電池端子２２８及びＬＥＤ  ＰＣＡ２５６を通して、電池２４８の第１の端部２４８ａへの電気的接続をインダクタＰＣＡ２５８に提供する。ＬＥＤ  ＰＣＡ２５６はまた、第１のバネクリップ２５７ａ、及び第１のバネクリップ２５７ａから横方向に離間された第２のバネクリップ２５７ｂも含むことができる。第１のアーム２５５ａ及び第２のアーム２５５ｂのように、第１のバネクリップ２５７ａ及び第２のバネクリップ２５７ｂは、導電性材料で構成することができる。照明アセンブリ１５が完全に組み立てられると、第１のバネクリップ２５７ａ及び第２のバネクリップ２５７ｂの各々が、電池２４８のそれぞれの１つの第２の端部２４８ｂと接触する。その結果、第１のバネクリップ２５７ａ及び第２のバネクリップ２５７ｂは、ＬＥＤ  ＰＣＡ２５６を通した電池２４８の第２の端部２４８ｂへの電気的接続をインダクタＰＣＡ２５８に提供する。第１のバネクリップ２５７ａ及び第２のバネクリップ２５７ｂ並びに第１のアーム２５５ａ及び第２のアーム２５５ｂの包含は、電池ハウジング２００内に電池２４８、ＬＥＤ  ＰＣＡ２５６、及びインダクタＰＣＡ２５８を有する完全な電気回路の作成を可能にする。
【００３３】
ランヤード２０８の反対側の電池ハウジング２００の端部で、レンズハウジング２６０によって電池ハウジング２００をキャップすることができる。電池ハウジング２００のように、レンズハウジング２６０は、ポリカーボネートプラスチックで構成することができるが、他の材料が想到される。レンズハウジング２６０は、ＬＥＤ  ＰＣＡ２５６に面する第１の側部２６０ａと、ＬＥＤ  ＰＣＡ２５６の反対側に面する、第１の側部２６０ａの反対側の第２の側部２６０ｂと、を画定する。レンズハウジング２６０は、超音波連続溶接とすることができる溶接を通して、電池ハウジング２００に永続的に取り付けることができる。代替的に、レンズハウジング２６０は、スナップ嵌め又はバヨネット型係合などを通して、電池ハウジング２００に取り外し可能に取り付けることができる。レンズハウジング２６０は、レンズハウジング２６０の第２の側部２６０ｂのより大きい開口部から、レンズハウジング２６０の第１の側部２６０ａのより小さい開口部まで延在する、凹部２６２を画定することができる。照明アセンブリ１５が完全に組み立てられると、ＬＥＤ  ＰＣＡ２５６に取り付けられたＬＥＤ２６８は、ＬＥＤ２６８が凹部２６２内に少なくとも部分的に配置されるように、レンズハウジング２６０の第１の側部２６０ａのより小さい開口部を通って、少なくとも部分的に延在する。レンズ２６４が凹部２６２内に配置され、レンズカバー２０４がレンズハウジング２６０に取り付けられ、各々が、ＬＥＤ２６８によって生成されて照明アセンブリ１５から放射される照明のサイズ、形状、及び色を制御する。例えば、レンズカバー２０４又はレンズ２６４は、所望の照明の色を提供するために有色とすることができる。代替的に、ＬＥＤ２６８は、所望の照明の色を変更するために交換することができる。レンズカバー２０４は、実質的に透明な材料で構成することができ、また、レンズ２６４に損傷を与え得る、又は遮り得る環境汚染物質からレンズ２６４を保護するように機能する。レンズ２６４及びレンズカバー２０４は、超音波連続溶接とすることができる溶接などを通して、レンズハウジング２６０に永続的に取り付けることができる。代替的に、レンズ２６４及びレンズカバー２０４は、下で更に説明するように、レンズハウジング２６０に取り外し可能に取り付けることができる。
【００３４】
図８〜図１２を続けて、スプレーガン１０への照明アセンブリ１５の取り付けを更に詳細に説明する。特に、図１０の分解図は、説明する部品がどのように相互関係を有するのかを示す。最初に、ブラケット２４０をスプレーガン１０のバレル３４に取り付ける。ブラケット２４０は、ねじ２３２ａとすることができるアセンブリを受容するように構成された下部孔２３８ａを画定する。ねじ２３２ａは、従来のねじとすることができ、又は所望に応じて任意の他の種類の締結具を画定することができる。スプレーガン１０の操作者は、ワッシャ２３６ａがねじ２３２ａのヘッドとブラケット２４０との間に、かつバレル３４の頂部に画定されたボア２３９の中へ位置付けられるように、ブラケット２４０の下部孔２３８ａを通してねじ２３２ａを挿入することができる。その結果、ブラケット２４０がスプレーガン１０に固定される。次いで、照明アセンブリ１５のねじ山インサート２１６が、ブラケット２４０を通って延在する上部孔２３８ｂと整列するように、照明アセンブリ１５がブラケット２４０に隣接して配置される。上部孔２３８ｂは、下部孔２３８ａから垂直に離間された位置でブラケット２４０に位置付けることができる。ねじ山インサート２１６及び上部孔２３８ａを整列させると、スプレーガン１０の操作者は、ワッシャ２３６ｂがねじ２３２ｂのヘッドとブラケット２４０との間に、かつねじ山インサート２１６の中へ位置付けられるように、ブラケット２４０の上部孔２３８ａを通して、ねじ２３２ｂとすることができるアセンブリを嵌入することができる。その結果、照明アセンブリ１５がブラケット２４０に、同様にスプレーガン１０のバレル３４に固定される。
【００３５】
照明アセンブリ１５がブラケット２４０と共にスプレーガン１０に固定された後に、アプリケータフック４０をスプレーガン１０に取り付けることができる。アプリケータフック４０の頂部は、ランヤード２０８と照明アセンブリ１５の電池ハウジング２００との間に画定された間隙２１０を通して挿入され、よって、ランヤード２０８は、アプリケータフック４０の後方側に接触し、アプリケータフック４０を通って延在するボア（図示せず）が、バレル３４の後側からスプレーガン１０の中へ延在するボア（図示せず）と整列する。アプリケータフック４０が配置されると、スプレーガン１０の操作者は、アプリケータフック４０のボア及びスプレーガン１０のバレル３４を通してねじ２４４を挿入して、アプリケータフック４０をスプレーガン１０に固定し、これは、同様に照明アセンブリ１５をスプレーガン１０に更に固定する。任意選択で、ねじ２４４を挿入する前に、ベゼル４２をアプリケータフック４０と整列させることができ、ねじ２４４を、ベゼル４２、アプリケータフック４０を通して、スプレーガン１０のバレル３４の中へ挿入することができる。照明アセンブリ１５を取り付ける１つの方法を説明しているが、照明アセンブリ１５をスプレーガン１０に取り付ける他の方法も想到される。
【００３６】
照明アセンブリの電気構成要素
動作に際して、照明アセンブリ１５は、電池２４８を通すか、又は電圧増倍器１４０の変圧器１６０によって生成された磁界Ｈからエネルギーを採取することによって、電力を得る。図１３を続けて、照明アセンブリ１５にどのように給電するのかを制御する照明アセンブリ１５の電気構成要素を更に詳細に論じる。電気構成要素は、電池２４８と、ＬＥＤ２６８と、回路３００の構成要素と、を含む。回路３００は、電池２４８又は磁界Ｈから採取される電力のいずれかからＬＥＤ２６８への電力の供給を制御する。電池２４８は、上で説明したように、回路３００のブーストコンバータ３１４などのＤＣ−ＤＣコンバータに電力を提供するように接続し、構成することができる。例えば、電池２４８は、１．５Ｖの直流をブーストコンバータ３１４に提供することができる。しかしながら、この直流電圧は、特に電池２４８の連続放電のため、変動し得る。ブーストコンバータ３１４は、入力及び出力貯蔵コンデンサを含むことができ、また、電池２４８からの直流出力を、増加した電圧の一定の直流に変換するために使用される。例えば、ブーストコンバータ３１４は、電池２４８からの１．５Ｖの直流を、一定の３．３Ｖの直流に変換することができる。回路３００はまた、誤ったタイプの電池が照明アセンブリ１５の中へ挿入される影響を多少なりとも解消するために、並びに逆方向電圧保護のために、バイパスコンデンサ及びツェナークランプ（図示せず）も含むことができる。
【００３７】
ブーストコンバータ３１４は、ホールドアップ時間論理、及びパスＭＯＳＦＥＴ３１０などのスイッチ部材に電力を供給することができる。この回路３００の一部分は、ＬＥＤドライバ３１８の給電が共振回路３０２からであるか、又は電池２４８からであるかを判定するために使用され、下で更に説明する。ＬＥＤドライバ３１８が電池２４８から給電されるときに、ホールドアップ時間論理及びパスＭＯＳＦＥＴ３１０は、所定の又は調節可能な期間にわたって、ブーストコンバータ３１４からの電力をＬＥＤドライバ３１８に提供する。例えば、期間は、１５秒とすることができる。期間は、照明アセンブリ１５の製造業者の設定とすることができ、又はスプレーガン１０の操作者によって所望に応じて操作することができる。有限の期間にわたるブーストコンバータ３１４からＬＥＤドライバ３１８への電力の制限は、電池２４８の動作寿命を延ばすのを補助し、かつスプレーガン１０の非活動期間中にＬＥＤドライバ３１８が電池２４８から電力を連続的に引き出すのを防止する。
【００３８】
電池２４８に加えて、ＬＥＤ２６８はまた、共振回路３０２によっても給電することができる。共振回路３０２は、インダクタ２５９と、少なくとも１つのコンデンサと、を備える。例えば、一実施形態において、共振回路３０２は、３つのコンデンサを含む。動作に際して、照明アセンブリ１５（及び同様にインダクタＰＣＡ２５８）がバレル３４の後部においてスプレーガン１０の頂部に載置されているときに、回路３００、及び特にインダクタ２５９は、電圧増倍器１４０の変圧器１６０によって生成される磁界Ｈ内にある。磁界Ｈは、共振回路３０２のインダクタ２５９内に電流を誘導し、得られたエネルギーは、コンデンサに貯蔵される。共振回路３０２の出力は、交流電圧であり、ＤＣ電圧に整流される。例えば、全波整流器３０６を使用して、共振回路３０２からの交流電圧を直流電圧に変換し、それを複数のコンデンサ（図示せず）に貯蔵することができる。コンデンサにおける最小のバルク貯蔵のため、磁界Ｈの除去に応じて、共振回路３０２からの電圧は、急速に崩壊する。
【００３９】
一実施形態において、共振回路３０２の共振周波数は下の式に従って、電圧増倍器１４０の駆動周波数と同じになるように調整することができる。
式１
Ｆ＝１／［２×π×√（Ｌ×Ｃ）］
式中、
Ｆは、共振周波数（ヘルツ）であり、
Ｌは、インダクタンス（ヘンリー）であり、
Ｃは、静電容量（ファラド）である。
共振回路３０２の共振周波数を調節するために、照明アセンブリ１５が使用されているスプレーガン１０の特定の電圧増倍器１４０の共振周波数Ｆを式１が満たすように、インダクタ２５９を、異なるインダクタンスを有するインダクタと交換することができ、及び／又は少なくとも１つのコンデンサを、異なる静電容量を有するコンデンサと交換することができる。
【００４０】
図１４Ａを参照すると、別の実施形態において、照明アセンブリ１５は、共振回路３０２ａを含むことができる。共振回路３０２ａは、インダクタ２５９と、コンデンサＣ１〜Ｃ４と、ジャンパーＪ１と、ダイオードＤ１〜Ｄ４と、を含む。インダクタ２５９及びコンデンサＣ１は、ＬＣ回路を形成するように平行に配設される。ＬＣ回路は、その共振周波数ｆ１で振動するときに、電気エネルギーを貯蔵するように構成される。ダイオードＤ１〜Ｄ４は、全波整流器を形成するように配設される。全波整流器は、本明細書で説明されるように、ＬＣ回路から受信する入力波形を、ＬＥＤ２６８に給電するために使用することができる、一定の極性の１つに変換することができる。図１４Ａの実施例において、回路３０２ａの共振周波数は、ジャンパワイヤＪ１を挿入又は取り外すことによって、初期周波数ｆ０から第１の周波数ｆ１まで調節することができる。ジャンパワイヤＪ１が回路３０２ａから取り外されると、コンデンサＣ２が接続解除され、Ｌ及びＣ１によって発生する共振周波数が維持される。ジャンパワイヤが回路３０２ａに挿入されると、コンデンサＣ２は、コンデンサＣ２の特性に基づいて、回路３０２ａの共振周波数を変更することができる。
【００４１】
図１４Ｂを参照すると、別の実施形態において、照明アセンブリ１５は、共振回路３０２ｂを含むことができる。共振回路３０２ｂは、集積回路Ｕ１と、インダクタ２５９と、コンデンサＣ１〜Ｃ６と、ダイオードＤ１〜Ｄ５と、を含む。インダクタ２５９及びコンデンサＣ１は、ＬＣ回路を形成するように平行に配設される。ＬＣ回路は、その共振周波数ｆ１で振動するときに、電気エネルギーを貯蔵するように構成される。ダイオードＤ１〜Ｄ４は、全波整流器を形成するように配設される。全波整流器は、本明細書で説明されるように、ＬＣ回路から受信する入力波形を、ＬＥＤに給電するために使用することができる、一定の極性の１つに変換することができる。図１４Ｂの実施例において、インダクタ２５９、ダイオードＤ５、並びにコンデンサＣ５及びＣ６によって形成された回路構成要素は、共振回路３０２ｂが、所望の共振周波数ｆ１ではなく、周波数ｆ０で動作していることを検出することができる。この不一致を検出したときに、集積回路Ｕ１の出力Ｂが有効になる。集積回路Ｕ１の出力Ｂが有効になると、コンデンサＣ２が、コンデンサＣ２の特性に基づいて、回路の共振周波数を変更する。対照的に、回路が所望の共振周波数ｆ１で動作しているときに、集積回路Ｕ１の出力Ａが有効になり、それによって、Ｌ１及びＣ１によって決定された回路の共振周波数ｆ１を維持する。
【００４２】
図１４Ｃを参照すると、別の実施形態において、照明アセンブリ１５は、共振回路３０２ｃを含むことができる。共振回路３０２ｃは、インダクタ２５９と、コンデンサＣ１〜Ｃ４と、ダイオードＤ１〜Ｄ４と、を含む。インダクタＬ及びコンデンサＣ１は、ＬＣ回路を形成するように平行に配設される。ＬＣ回路は、その共振周波数ｆ１で振動するときに、電気エネルギーを貯蔵するように構成される。ダイオードＤ１〜Ｄ４は、全波整流器を形成するように配設される。全波整流器は、本明細書で説明されるように、ＬＣ回路から受信する入力波形を、ＬＥＤに給電するために使用することができる、一定の極性の１つに変換することができる。図１４Ｃの実施例において、共振回路３０２ｃのコンデンサＣ２は、可変コンデンサである。回路３０２ｃの共振周波数ｆ１は、コンデンサＣ２の容量値を変更することによって変化させることができる。
【００４３】
回路３００はまた、ＬＥＤ２６８を駆動するＬＥＤドライバ３１８も含む。ＬＥＤドライバ３１８は、電池２４８から受容した電力又は共振回路３０２から受容した電力のいずれかを通して、ＬＥＤ２６８を駆動する。一実施形態において、ＬＥＤドライバ３１８は、電力の供給源に応じて異なる電流をＬＥＤ２６８に給電することができる。例えば、ＬＥＤ駆動装置３１８は、共振回路３０２から電力を受容するときに第１のアンペア数でＬＥＤ２６８に給電することができ、その後に、電池２４８から電力を受容するときに第１のアンペア数とは異なる第２のアンペア数でＬＥＤ２６８に給電することができる。
【００４４】
スプレーガン及び照明アセンブリの動作
動作に際して、ユーザがスプレーガン１０を使用し始めようとするときに、ユーザは、ガン本体１１のハンドル３２を手で把持する。ユーザがスプレーガン１０を使用し始めたいときに、ユーザは、トリガアセンブリ５０とすることができるアクチュエータアセンブリ４５を手で作動させることによって、スプレーガン１０を作動させることができる。アクチュエータアセンブリ４５を作動させることで、コントローラ７２に、コーティング材料流れ制御弁６１を閉鎖位置から開放位置へ切り替えるように命令する。これは、コーティング材料が、コーティング材料供給源６０から、コーティング材料流れ制御弁６１を通り、供給ホース６４を通って、スプレーガン１０まで流れることを可能にする。そこから、コーティング材料は、ハンドル３２から延在するコーティング材料流路１９に沿って、バレル３４を通り、ノズルアセンブリ３６まで流れる。コーティング材料は、次いで、ノズルアセンブリ３６を出る前に電極１００によって帯電された状態になる。コーティング材料流れ制御弁６１の開放と同時に、コントローラ７２は、弁９７を閉鎖位置から開放状態へ切り替えて、電極洗浄空気源９６からの加圧空気が空気通路１４８を通って流れることを可能にすることができる。空気通路１４８は、スプレーガン１０のハンドル３２を通り、バレル３４を通って、ノズルアセンブリ３６まで延在し、よって、加圧空気の流れを電極先端１００ａ全体にわたって提供して、電極先端１００ａへのコーティング材料の蓄積を防止するのを補助する。
【００４５】
加えて、ユーザがアクチュエータアセンブリ４５を作動させると、コントローラ７２は、スイッチ９４を例示される開放状態（図４）から閉鎖状態へ作動させることができ、これは、電気ケーブル又は接続部７０及び電気入力１７０を通して、電源９３を電圧増倍器１４０と接続する役割を果たす。これは、次に、電圧増倍器１４０を停止状態から起動状態へ切り替え、よって、電圧増倍器１４０は、電荷を電極１００に提供する。電圧増倍器１４０が起動状態であるときに、電圧増倍器１４０内に含まれる変圧器１６０が磁界Ｈを作成する。磁界Ｈは、インダクタＰＣＡ２５８のインダクタ２５９内に電流を誘導し、これは、上で説明したように電力をＬＥＤ２６８に提供する。その結果、インダクタ２５９によって得られる電気エネルギーは、アクチュエータアセンブリ４５が電圧増倍器を停止状態から起動状態へ切り替えたときに、ＬＥＤ２６８を消灯状態から点灯状態へ切り替えさせる。ＬＥＤ２６８は、スプレーガン１０の操作者が、スプレーガン１０の動作中にコーティング材料が塗布されている被加工物をより良好に検査すること、及びコーティング材料が満足な様態で塗布されていることを確実にすることを可能にする。
【００４６】
しかしながら、ユーザがアクチュエータアセンブリ４５をもはや作動させないときに、電圧増倍器１４０は、変圧器１６０が磁界Ｈを作成するのを止めるように、起動状態から停止状態へ切り替えられる。その結果、インダクタＰＣＡ２５８のインダクタ２５９内には電流がもはや誘導されなくなり、共振回路３０２は、電力をＬＥＤ２６８にもはや提供することができない。この状況において、ホールドアップ時間論理及びパスＭＯＳＦＥＴ３１０は、共振回路３０２から電力の停止を検出し、ＬＥＤドライバ３１８に、ブーストコンバータ３１４から、したがって電池２４８から電力を引き出すように命令する。したがって、スプレーガン１０が使用中でないときに、ＬＥＤ２６８をある期間にわたって点灯状態のままにすることができ、それにより、スプレーガン１０の操作者は、被加工物の検査を続けることができる。この期間は、上で説明したように、ホールドアップ時間論理及びパスＭＯＳＦＥＴ３１０によって制御される。期間が終了した後に、ホールドアップ時間論理及びパスＭＯＳＦＥＴ３１０は、電池２４８からＬＥＤ２６８への更なる電力の引き出しを阻止する。ＬＥＤ２６８が共振回路３０２によって給電されているか、電池２４８によって給電されているかにかかわらず、照明アセンブリ１５は、スプレーガン１０のいかなる部分にも電気的に接続されていないことに留意されたい。
【００４７】
電圧増倍器１４０が停止状態に切り替えられた後に、電池２４８から電力を引き出すことを通してＬＥＤ２６８を点灯状態のままにする能力は、複数の利点を提供する。第１に、操作者が被加工物を検査するときに、照明を提供するために第２の用具に切り替える必要がないので、時間が節約される。これは、必要とされる用具がより少なくなり、コーティング動作が単純になる。更に、照明アセンブリ１５は、スプレーガン１０に給電するために使用される電源９３及び電池ハウジング２００に収容された電池２４８以外の追加的な電源を必要としないので、電力が節約される。上で説明した照明アセンブリ１５はまた、ビルトインの照明供給源のない既存のスプレーガンに適用することもでき、これは、追加的なコーティング用具を入手する必要性を回避することによって、総コーティングコストを下げる。
【００４８】
各特定の照明アセンブリ１５は、ＬＥＤ２６８によって放射される照明が特定の被加工物を照明する最適距離、並びに特定のコーティング材料と最適にコントラストをなす色を画定することができる。これは、典型的に、レンズハウジング２６０に取り付けられたレンズ２６４の特性によって決定付けられる。しかしながら、被加工物の異なるタイプ及びサイズ、並びにスプレーガン１０で利用することができるコーティング材料の種類を考慮すると、特定の照明アセンブリ１５が全てのコーティング用途での使用に最適とはならない。例えば、あるコーティング動作において、被加工物は、スプレーガン１０から８〜１０インチに位置し得るが、別のコーティング動作において、被加工物は、スプレーガン１０からより遠くに位置し得る。その結果、照明アセンブリ１５は、レンズ２６４及び／又はレンズカバー２０４がレンズハウジング２６０に取り外し可能に取り付けられるように構成することができ、よって、スプレーガン１０の操作者は、特定のコーティング動作と共に使用する際に最適ではなくなったときに、照明アセンブリ１５から特定のレンズ２６４及び／又はレンズカバー２０４を取り外し、好適な特性を有する異なるレンズ２６４及び／又はレンズカバー２０４を取り付けることができる。レンズ２６４及びレンズカバー２０４は、バヨネット方式、ねじ込み、又はスナップ嵌め係合などの様々な手段を通して、レンズハウジング２６０に取り外し可能に取り付けることができる。異なるレンズ２６４及びレンズカバー２０４は、ＬＥＤ２６８からの照明を白色、赤色、又は緑色などの異なる色で具現化させることができ、各色は、異なるタイプ及び色のコーティング材料との最適なコントラストを提供する。特定の色が列記されているが、それらは、包括的であることを意味しない。代替的に、着色したキャップをレンズカバー２０４の上に置いて、所望の照明色を生成することができる。更に、異なるレンズ２６４及び／又はレンズカバー２０４は、照明アセンブリ１５から照明のデパーチャ角の増加又は減少のいずれか行うことによって、焦点と称される（下で更に論じる）、ＬＥＤ２６８からの照明が被加工物を照明する最適距離を増加又は減少させることができる。
【００４９】
一体的な照明アセンブリを有するスプレーガン
図１５〜図１９を参照して、本開示による別のスプレーガン１０ａを説明する。スプレーガン１０及び１０ａは、多数の同じ要素を備える。その結果、任意の共有要素は、スプレーガン１０ａに関して同じように番号が付されるが、説明しない。スプレーガン１０のように、スプレーガン１０ａは、ガン本体１１ａと、ガン本体１１ａに載置された照明アセンブリ１５ａと、を含む。しかしながら、照明アセンブリ１５ａは、スプレーガン１０ａのガン本体１１ａと一体的である。具体的には、照明アセンブリ１５ａは、ガン本体１１ａのバレル３４ａと一体的であるハウジング４０２を含むことができる。照明アセンブリ１５ａは、スプレーガン１０ａからのコーティング材料が塗布される被加工物（図示せず）を照明及び検査するために、ＬＥＤ２６８のようなＬＥＤ４００を含むことができる。ＬＥＤとしてラベルが付されているが、ＬＥＤ４００は、代替的に、所望に応じて任意の他のタイプの照明とすることができる。照明アセンブリ１５ａは、エネルギー貯蔵部とも称される電力供給源４０１を更に含むことができ、これは、電力をＬＥＤ４００に提供し、したがって、照明を消灯状態から点灯状態に切り替える。加えて、照明アセンブリ１５ａは、照明アセンブリ１５ａの動作を制御する回路４１０を含むことができる。回路４１０は、電力供給源４０１の一部とすることができ、また、共振回路３０２ａ〜３０２ｃなどの、上で論じた回路３００の構成要素のうちのいずれかを含むことができる。同様に、回路３００は、下で論じられるように、回路４１０の構成要素のうちのいずれかを含むことができる。照明アセンブリ１５ａは、電圧増倍器１４０から電気的に絶縁され、これは、スプレーガン１０ａの内部部品に損傷を引き起こし得る電荷蓄積を防止する。照明アセンブリ１５ａは、熱的に効率的であり、また、スプレーガン１０ａの動作中に、熱的なホットスポットがスプレーガン１０ａ上に形成されるのを防止する。熱的なホットスポットは、コーティング材料をガン本体１１ａの内側及び外側に対して硬化させる場合があり、これは、スプレーガン１０ａの動作に悪影響を及ぼす。照明アセンブリ１５ａは、ＬＥＤ４００によって生成される照明を集束させるレンズ及び／又はレンズカバーを含むことができる。例えば、照明アセンブリ１５ａは、照明アセンブリ１５に関して説明したレンズ２６４及び／又はレンズカバー２０４を含むことができる。
【００５０】
図１８を参照すると、スプレーガン１０ａは、１つ以上の動作パラメータに関する情報、並びにスプレーガン１０ａに関する他の情報を操作者に提示するためのディスプレイ４３０も含むことができる。示される実施形態において、ディスプレイ４３０は、操作者がスプレーガン１０ａを使用している間、操作者が容易に視認できるように、バレル３４ａの後端部に位置付けられる。
【００５１】
ディスプレイ４３０は、ガン本体１１ａに取り付けるか、又は嵌め込むことができ、また、スプレーガン１０ａ又は関連する構成要素の動作値を表示するための一対のセグメント化されたＬＥＤを含む視覚的インジケータ装置４３４を含むことができる。例えば、ディスプレイ４３０は、第１のＬＥＤディスプレイ４４６と、第２のディスプレイ４５０と、を含むことができる。第１のＬＥＤディスプレイ４４６及び第２のディスプレイ４５０の各々は、７分割ＬＥＤディスプレイを含むものとして示される。しかしながら、第１のＬＥＤディスプレイ４４６及び第２のディスプレイ４５０は、ＬＣＤディスプレイなどを備えるなど、別様に構成できることが想到される。更に、他の実施形態において、ディスプレイ４３０は、所望に応じて、２つの又は１つだけのＬＥＤディスプレイを含むことができる。
【００５２】
視覚的インジケータ装置４３４に示されるパラメータの値を変更するために、ディスプレイ４３０は、第１のボタン４５４と、第１のボタン４５４から離間された第２のボタン４５８と、を含むことができる。示されるように、第１のボタン４５４は、マイナス記号のラベルが付され、視覚的インジケータ装置４３４に示される値を減少させるために使用することができ、一方で、第２のボタン４５８は、プラス記号のラベルが付され、視覚的インジケータ装置４３４に示される値を増加させるために使用することができる。第１のボタン４５４又は第２のボタン４５８を押して放すことによって、視覚的インジケータ装置４３４に示される値、したがって、スプレーガン１０ａの動作パラメータの対応する値をそれぞれ１つだけ減少又は増加させることができる。第１のボタン４５４又は第２のボタン４５８を押して保持することによって、視覚的インジケータ装置４３４に示される値、したがって、スプレーガン１０ａの動作パラメータの対応する値を、第１のボタン４５４又は第２のボタン４５８がもはや保持されなくなるまで、それぞれ減少又は増加させることができる。他の実施形態において、第１のボタン４５４及び第２のボタン４５８は、視覚的インジケータ装置４３４上に表される動作パラメータの所望の値を手で入力するためのテンキーパッドと交換することができる。
【００５３】
ディスプレイ４３０はまた、１つ以上の手動作動式入力４３６も含むことができ、本実施形態では、押しボタン膜スイッチとして示される。示される実施形態において、手動作動式入力４３６は、第１の入力４３８と、第２の入力４４２と、を含む。手動作動式入力４３６は、スプレーガン１０ａの様々な動作モードの間で、並びに視覚的インジケータ装置４３４に表示するための異なる動作パラメータの間で交替させるために、及び第１のボタン４５４及び第２のボタン４５８による制御のために使用することができる。これらの動作パラメータとしては。下で更に論じるように、輝度レベル、焦点レベル、時間モード、色温度などを挙げることができる。２つの手動作動式入力４３６が示されているが、ディスプレイ４３０は、代替的に、１つだけ又は２つ以上の手動作動式入力を含むことができる。更に、手動作動式入力４３６は、代替的に、スプレーガン１０ａの操作者によって手で作動させることができるダイヤル、ノブ、ボタン、又は任意の他のタイプの入力として構成することができる。
【００５４】
一体的な照明アセンブリの電気構成要素
以下、図１９を参照して、回路４１０を説明する。インダクタ２５９は、先に説明したように、共振回路３０２ａ〜３０２ｃのうちの１つとすることができる共振回路３０２を通して、電気エネルギーを回路４１０に提供することができる。回路４１０はまた、共振回路３０２に接続された全波整流器ＢＲ１も含むことができる。回路４１０は、回路４１０の様々な構成部品の間の電圧分配を管理するように構成することができる電圧調節回路５００を含むことができ、下で説明する。回路４１０はまた、ホールドアップ時間制御回路５０５も含むことができ、これは、電圧増倍器１４０が停止した後に、ＬＥＤ４００をオンのままにする時間を制御するように構成される。ホールドアップ時間制御回路５０５は、ＬＥＤ４００に、電圧増倍器１４０を起動状態から停止状態に切り替えたときに同時に点灯状態から消灯状態に切り替えるように、電圧増倍器１４０を停止状態に切り替えた後に設定した期間にわたって点灯状態のままにするように、又はインダクタ２５９からの電気エネルギーを貯蔵する回路４１０の構成要素がエネルギーを失うまでオンのままにするように命令することができる。ホールドアップ時間制御回路５０５のこれらの態様は、予め設定することができ、又はいくつかのユーザインターフェース（図示せず）を通してスプレーガン１０ａのユーザによって手動で変更可能とすることができる。
【００５５】
回路４１０はまた、ＬＥＤ４００に給電するように、並びにインダクタ２５９から受容される電気エネルギーを貯蔵するように構成された充電式電池５１５も含むことができる。充電式電池５１５は、必要に応じて充電式電池５１５を交換することができるように、回路４１０の中へ着脱可能に一体化することができる。充電式電池５１５によって貯蔵される電気エネルギーは、電圧増倍器１４０が停止状態であるときにＬＥＤ４００に電力を供給するために使用することができる。充電式電池５１５はまた、所望に応じて、２つ又は３つの充電式電池などの任意の数の充電式電池を含むこともできる。回路４１０は、充電式電池５１５の充電を制御するように構成された電池充電回路５１０を含むことができる。一実施形態において、電池充電回路５１０は、充電式電池５１５のエネルギーレベルを感知し、その後に、感知したレベルのエネルギーに基づいて、充電式電池５１５に充電すること、又は充電しないことができる。回路４１０が１つを超える充電式電池５１５を含むときに、回路４１０はまた、対応する数の電池充電回路５１０も含むことができる。例えば、回路４１０が２つの充電式電池５１５を含む場合、回路はまた、２つの電池充電回路５１０も含み、各電池充電回路５１０がそれぞれの充電式電池５１５に対応する。同様に、回路４１０が３つの充電式電池５１５を含む場合、回路はまた、３つの電池充電回路５１０も含む。
【００５６】
代替的に、回路４１０は、インダクタ２５９から受容されるエネルギーを貯蔵するための、並びに電圧増倍器１４０が停止状態であるときにインダクタ２５９から受容した貯蔵されたエネルギーを使用してＬＥＤ４００に給電するためのコンデンサを含むことができる。回路４１０は、充電式電池５１５の代わりに、又はそれと組み合わせて、コンデンサを含むことができる。
【００５７】
引き続き図１９を参照すると、回路４１０は、ＬＥＤ４００に提供される電圧を制御するように構成された駆動回路５２０を含むことができる。駆動回路５２０は、ホールドアップ時間制御回路５０５及び輝度制御回路５２５からの入力を受信して、ＬＥＤ４００に供給する電気エネルギーの量を決定するように、並びにＬＥＤ４００への電力の供給をいつ開始するのかを決定するように構成することができる。駆動回路５２０は、電気エネルギーを充電式電池５１５又は共振回路３０２ａ〜３０２ｃから受容することができる。駆動回路５２０はまた、スプレーガン１０ａのユーザによるユーザ入力（図示せず）の作動に基づいて、電気エネルギーをＬＥＤ４００に導くように構成することもできる。加えて、回路４１０は、ＬＥＤ４００の輝度レベルを調節するように構成された輝度制御回路５２５を含むことができる。スプレーガン１０ａのユーザは、下で更に論じるように、スプレーガン１０ａの特定の用途に基づいて、ＬＥＤ４００の輝度レベルを調節することを望む場合がある。同様に、回路４１０はまた、ＬＥＤ４００のケルビン色温度を調節するように構成された色温度制御回路５３０も含むことができる。ＬＥＤ４００の輝度レベルのように、スプレーガン１０ａのユーザは、スプレーガン１０ａの特定の用途に基づいて、ＬＥＤ４００の色温度を調節することを望む場合がある。
【００５８】
スプレーガン及び一体的な照明アセンブリの動作
動作に際して、ユーザがスプレーガン１０ａを使用し始めようとするときに、ユーザは、ガン本体１１ａのハンドル３２を手で把持する。ユーザがスプレーガン１０ａを使用し始めたいときに、ユーザは、トリガアセンブリ５０とすることができるアクチュエータアセンブリ４５を手で作動させることによって、スプレーガン１０ａを作動させることができる。アクチュエータアセンブリ４５を作動させることで、コントローラ７２に、コーティング材料流れ制御弁６１を閉鎖位置から開放位置へ切り替えるように命令する。これは、コーティング材料が、コーティング材料供給源６０から、コーティング材料流れ制御弁６１を通り、供給ホース６４を通って、スプレーガン１０ａまで流れることを可能にする。そこから、コーティング材料は、ハンドル３２から延在するコーティング材料流路１９に沿って、バレル３４ａを通り、ノズルアセンブリ３６まで流れる。コーティング材料は、次いで、ノズルアセンブリ３６を出る前に電極１００によって帯電された状態になる。コーティング材料流れ制御弁６１の開放と同時に、コントローラ７２は、弁９７を閉鎖位置から開放状態へ切り替えて、電極洗浄空気源９６からの加圧空気が空気通路１４８を通って流れることを可能にすることができる。空気通路１４８は、スプレーガン１０ａのハンドル３２を通り、バレル３４ａを通って、ノズルアセンブリ３６まで延在し、よって、加圧空気の流れをノズル２０全体にわたって提供して、電極先端１００ａへのコーティング材料の蓄積を防止するのを補助する。
【００５９】
加えて、ユーザがアクチュエータアセンブリ４５を作動させると、コントローラ７２は、スイッチ９４を例示される開放状態（図４）から閉鎖状態へ作動させることができ、これは、電気ケーブル又は接続部７０及び電気入力１７０を通して、電源９３を電圧増倍器１４０と接続する役割を果たす。これは、次に、電圧増倍器１４０を停止状態から起動状態へ切り替え、よって、電圧増倍器１４０は、電荷を電極１００に提供する。電圧増倍器１４０が起動状態であるときに、電圧増倍器１４０内に含まれる変圧器１６０が磁界Ｈを作成する。電力供給源４０１、特に回路４１０内のインダクタ２５９は、磁界Ｈから、ＬＥＤ４００に給電することができる電気エネルギーを得る。インダクタ２５９によって得られる電気エネルギーは、回路４１０を介して電気エネルギーを貯蔵するための手段に充電することができる。電気エネルギーを貯蔵するための手段は、他のコンデンサ、充電式電池５１５、又はこれらの組み合わせを含むことができる。
【００６０】
電力供給源４０１内のインダクタ２５９によって得られる電気エネルギーのため、アクチュエータアセンブリ４５が電圧増倍器１４０を停止状態から起動状態へ切り替えたときに、電力供給源４０１は、ＬＥＤ４００を消灯状態から点灯状態へ切り替えることができる。ＬＥＤ４００は、スプレーガン１０ａのユーザが、スプレーガン１０ａの動作中にコーティング材料が塗布されている被加工物をより良好に検査すること、及びコーティング材料が満足な様態で塗布されていることを確実にすることを可能にする。加えて、コンデンサ及び／又は充電式電池５１５は、電圧増倍器１４０が起動状態から停止状態へ切り替えられた後に、貯蔵された電気エネルギーをＬＥＤ４００に提供することができる。その結果、ユーザは、コーティング動作が完了した後に、被加工物の検査を続けて、コーティング品質を確実にすることができる。電圧増倍器１４０が停止状態に切り替えられた後に、貯蔵された電気エネルギーを通してＬＥＤ４００を点灯状態のままにする能力は、複数の利点を提供する。第１に、操作者が被加工物を検査するときに、照明を提供するために第２の用具に切り替える必要がないので、時間が節約される。また、これは、必要とされる用具がより少ないので、コーティング動作を単純化する。更に、照明アセンブリ１５ａは、スプレーガン１０ａに給電するために使用される電源９３以外の追加的な電源を必要としないので、電力が節約される。しかしながら、一実施形態において、照明アセンブリ１５ａはまた、電力供給源４０１に対するバックアップとして、電力供給源４０１を外部電源（図示せず）に接続する有線接続部も含むことができる。外部電源は、電源９３が停止したとき、及び電力供給源４０１がエネルギーをもはや伝達しなくなったときの状況において使用することができる。
【００６１】
電力供給源４０１が１つを超える充電式電池５１５を含むときに、電池充電回路５１０は、充電式電池５１５をどのように充電するのかを制御することができる。一実施形態において、電力供給源４０１は、第１及び第２の充電式電池５１５と、第１及び第２の充電式電池５１５にそれぞれ対応する第１及び第２の電池充電回路５１０と、を含むことができる。上で説明したように、電圧増倍器１４０が起動状態であるときに、回路４１０内のインダクタ２５９は、磁界Ｈから電気エネルギーを得る。その結果、回路４１０は、第１及び第２の電池充電回路５１０を通して第１及び第２の充電式電池５１５に充電することができる。第１及び第２の電池充電回路５１０は、それぞれの電池のエネルギーレベルを監視し、その後に、第１及び第２の充電式電池５１５がいつ満充電に到達したのかを判定するように構成することができる。第１及び第２の充電式電池５１５が満充電に到達したときに、第１及び第２の電池充電回路５１０は、回路４１０に、第１及び第２の充電式電池５１５への充電を中止し、むしろ電気エネルギーを使用してＬＥＤ４００に給電するように命令することができる。スプレーガン１０ａを動作させる過程で、第１及び第２の充電式電池５１５のうちの一方が他方よりも早く充電される状況が起こる場合がある。この状況においては、最初に充電された充電式電池５１５に対応する第１及び第２の電池充電回路５１０のうちの一方が、満充電を検出し、そして回路４１０に、まだ満充電されていない第１及び第２の充電式電池５１５のうちの他の一方だけを充電し、並びに満充電された充電式電池５１５だけを使用してＬＥＤ４００に給電するように命令する。また、スプレーガン１０ａを動作させる過程で、第１及び第２の充電式電池５１５のうちの一方の充電が少なく、一方で、他方の充電式電池５１５の充電がより多い状況も起こる場合がある。この状況において、充電が少ない充電式電池５１５に対応する第１及び第２の電池充電回路５１０のうちの一方が、充電が少ないこと検出し、そして回路４１０に、充電が少ない第１及び第２の充電式電池５１５のうちの一方だけを充電し、並びに充電がより多い充電式電池５１５だけを使用してＬＥＤ４００に給電するように命令する。
【００６２】
照明アセンブリ１５ａは、複数の時間モードで動作させることができる。各時間モードは、電圧増倍器１４０を起動状態から停止状態へ切り替えた後に、ＬＥＤ４００を点灯状態のままにする期間に対応する。任意の所与の時点でスプレーガン１０ａによって利用される時間モードは、ホールドアップ時間制御回路５０５を介して制御及び調節することができる。スプレーガン１０ａのコントローラ７２は、ホールドアップ時間制御回路５０５に接続されたユーザ入力（図示せず）を調節することによって、又はスプレーガン１０ａの使用を開始する前にホールドアップ時間制御回路５０５をプログラムすることによって、時間モードを変更することができる。第１の時間モードにおいて、アクチュエータアセンブリ４５が電圧増倍器１４０を起動状態から停止状態へ切り替えたときに、電力供給源４０１は、ＬＥＤ４００を点灯状態から消灯状態へ切り替える。この時間モードにおいては、電圧増倍器１４０が停止状態に切り替えられた後に、電力供給源４０１に貯蔵された電気エネルギーは利用されない。第２の時間モードにおいて、電力供給源４０１は、アクチュエータアセンブリ４５が電圧増倍器１４０を起動状態から停止状態へ切り替えることに続いて、一定の期間にわたってＬＥＤ４００を点灯状態に維持するように構成される。この時間モードは、電圧増倍器１４０が停止状態に切り替えられた後に、コンデンサ及び／又は充電式電池５１５に貯蔵された電気エネルギーを利用して、一定の期間にわたってＬＥＤ４００に給電する。この一定の期間は、ホールドアップ時間制御回路５０５に予めプログラムすることができ、又はスプレーガン１０ａのユーザによって選択し、ユーザ入力（図示せず）を使用してホールドアップ時間制御回路５０５に入力することができる。一定の期間は、スプレーガン１０ａの動作中に操作者によって決定することができ、又は行われているコーティング動作若しくは検査されている被加工物に基づいて予め決定することができる。第３の時間モードにおいて、電力供給源４０１は、電力供給源４０１に貯蔵された電気エネルギーを完全に使い切るまでの時間に対応する可変期間にわたって、アクチュエータアセンブリ４５が電圧増倍器１４０を起動状態から停止状態に切り替えることに続いて、ＬＥＤ４００を点灯状態に維持するように構成される。電力供給源４０１に貯蔵された電気エネルギーを完全に使い切ったときに、ＬＥＤ４００を点灯状態から消灯状態へ切り替える。代替的に、ＬＥＤ４００は、次いで、有線接続を介して電力供給源４０１に接続された外部電源から電気エネルギーを引き出すことに移行する。したがって、特定の電力供給源４０１の能力及び特性、電圧増倍器１４０が停止状態に切り替えられる前にどのくらい長くコンデンサ及び／又は充電式電池５１５を充電しなければならなかったか、並びに最初に電圧増倍器１４０を起動状態に切り替えるときのコンデンサ及び／又は充電式電池５１５の初期エネルギーなどの要因に依存するので、第３の時間モードにおいてＬＥＤ４００が点灯状態のままである可変期間は一定でない。
【００６３】
照明アセンブリ１５ａはまた、異なる色温度モードでも動作させることができる。色温度は、照明の色特性と関係があり、また、ケルビン（Ｋ）で測定される１，０００Ｋ〜１０，０００Ｋ程度の数値として定量化することができる。例えば、約２，０００Ｋ〜約３，０００Ｋの色温度を有する照明は、「暖白色」照明と称することができ、また、橙色又は黄色の見た目を有することができ、約３，０００Ｋ〜約４，５００Ｋの色温度を有する照明は、「冷白色」照明と称することができ、また、自然な白色又はわずかに青みがかった見た目を有することができ、約４，６００Ｋ〜約６，５００Ｋの色温度を有する照明は、「昼光色」照明と称することができ、また、昼の光を模倣した青色及び白色の見た目を有することができる。スプレーガン１０ａを使用するときには、異なるシナリオにおいて、色温度を変動させることによる異なるタイプの照明が必要とされ得る。照明の所望の色温度に影響を及ぼし得る要因としては、存在する周囲光源、使用されているコーティング材料のタイプ、及びコーティング材料が塗布されている被加工物のタイプが挙げられる。スプレーガン１０ａは、ＬＥＤ４００の色温度を制御するために、色温度制御回路５３０を含むことができる。同様に、ＬＥＤ４００は、可変の色温度を可能にするタイプの照明とすることができる。スプレーガン１０ａのユーザは、色温度制御回路５３０に接続されたユーザ入力（図示せず）を調節することによって、又はスプレーガン１０ａの使用を開始する前に色温度制御回路５３０をプログラムすることによって、ＬＥＤ４００の色温度を変更することができる。ＬＥＤ４００の色温度は、所望に応じて任意のレベルであるように構成することができる。例えば、一実施形態において、ＬＥＤ４００の色温度は、約２，７００Ｋ〜約３，４００Ｋとすることができる。別の実施形態において、ＬＥＤ４００の色温度は、約４，０００Ｋ〜約６，０００Ｋとすることができる。
【００６４】
照明アセンブリ１５ａは、更に、異なる焦点モードで動作させることができる。スプレーガン１０ａの動作中に、照明アセンブリ１５ａを使用して、被加工物の様々なサイズ又はスプレーガン１０ａからの距離を検査することができる。その結果、特定の被加工物又は粉末タイプと共に使用するための最適なレベルの焦点を提供するために、第１のビーム幅から、第１のビーム幅とは異なる第２のビーム幅までなどの、照明アセンブリ１５ａによって放射される照明のビーム幅を広げること、又は狭くすることができる。一実施形態において、これは、異なるレンズを有する照明アセンブリ１５に関連して上で説明したように、レンズ２６４とすることができる照明アセンブリ１５ａの第１のレンズを交換することによって達成することができる。しかしながら、照明アセンブリ１５ａの焦点モードを変更するための他の手段が想到される。
【００６５】
時間モード及び色温度モードに加えて、照明アセンブリ１５ａはまた、複数の輝度モードでも動作させることができ、各輝度モードは、異なる輝度レベルのＬＥＤ４００に対応する。ＬＥＤ４００の輝度は、スプレーガン１０ａが使用されている環境内に存在する環境照明のレベル、塗布されているコーティング材料のタイプ、コーティング材料が塗布されている被加工物のタイプ、及びスプレーガン１０ａのユーザの視覚的品質を含む、様々な理由で変化し得る。加えて、スプレーガン１０ａのユーザが電力を節約することを所望するとき、及び／又はより長い期間にわたって照明を点灯状態のままにしておきたいときには、より低い輝度レベルのＬＥＤ４００を使用することができる。照明アセンブリ１５ａの輝度モードは、輝度制御回路５２５に接続されたユーザ入力（図示せず）を使用して変更することができる。代替的に、輝度モードは、異なる方法のアクチュエータアセンブリ４５を作動させることによって変更することができる。例えば、電圧増倍器１４０が起動状態であるときに、アクチュエータアセンブリ４５の第１の作動は、電圧増倍器１４０を停止状態に切り替えるように構成することができ、電力供給源４０１は、ＬＥＤ４００を第１の輝度レベルでの点灯状態に維持するように構成することができる。第１の輝度レベルは、第１の輝度モードを画定することができる。代替的に、電圧増倍器１４０が起動状態であるときに、アクチュエータアセンブリ４５の第２の作動は、電圧増倍器１４０を停止状態に切り替えるように構成することができ、電力供給源４０１は、ＬＥＤ４００を第２の輝度レベルでの点灯状態に維持するように構成することができる。第２の輝度レベルは、第２の輝度モードを画定することができる。第２の輝度レベルは、第１の輝度レベルよりも小さくすることができ、又は代替的に、第１の輝度レベルよりも大きくすることができる。代替的に、電圧増倍器１４０が起動状態であるときに、アクチュエータアセンブリ４５の第３の作動は、電圧増倍器１４０を停止状態に切り替えるように構成され、電力供給源４０１は、ＬＥＤ４００を第３の輝度レベルでの点灯状態に維持するように構成される。第３の輝度レベルは、第３の輝度モードを画定することができる。第３の輝度レベルは、第１及び第２の輝度レベルのうちのいずれか若しくは両方よりも小さくすることができ、又は第３の輝度レベルは、第１及び第２の輝度レベルのうちのいずれか若しくは両方よりも大きくすることができる。照明アセンブリ１５ａは、所望に応じて、より少ない、又は追加的な輝度モードを含むことができる。加えて、輝度モードの間で選択する方法は、アクチュエータアセンブリ４５以外のユーザ入力を利用することができ、アクチュエータアセンブリ４５を使用して、上で列記したもの以外の輝度モードの間で選択する方法を使用することができる。
【００６６】
輝度モードを変更することに関して上で具体的に説明したが、ＬＥＤ４００の動作の様々な他の特性は、異なる方法でアクチュエータアセンブリ４５を作動させることによって変更することができる。例えば、ＬＥＤ４００の時間モード、焦点モード、及び／又は色温度は、異なる方法でアクチュエータアセンブリ４５を作動させることによって変更することができる。一実施形態において、アクチュエータアセンブリ４５の第１の作動、第２の作動、及び第３の作動は、上で述べたように、それぞれ、アクチュエータアセンブリ４５の単回作動、アクチュエータアセンブリ４５の素早い２回作動（すなわち、アクチュエータアセンブリ４５を２回高速に連続して作動させる）、アクチュエータアセンブリ４５の素早い３回作動（すなわち、アクチュエータアセンブリ４５を３回高速に連続して作動させる）を指すことができる。加えて、ＬＥＤ４００の輝度モード、時間モード、焦点モード、及び／又は色温度は、上で説明したような第１のスイッチ４３８及び第２のスイッチ４４２並びに第１のボタン４５４及び第２のボタン４５８を含む、ディスプレイ４３０の手動作動式入力４３６を作動させることを通して、アクチュエータアセンブリ４５以外の手段によって変更することができる。したがって、ディスプレイ４３０の構成要素は、ＬＥＤ４００の輝度レベル、時間モード、焦点モード、及び／又は色温度を増加及び減少させるために、並びにそれらの間で交替させるために使用することができる。
【００６７】
動作に際して、変圧器１６０に対するインダクタ２５９の間隔及び配向は、インダクタ２５９が磁界Ｈからエネルギーを得る効率を高める際のより大きい要因である。特に、インダクタ２５９は、変圧器１６０及びインダクタ２５９が共に密に離間されたときに、磁界Ｈからより多くの電気エネルギーを得る。加えて、磁界Ｈは、変圧器１６０及びインダクタ２５９が互いに垂直又は平行に配向されたときに、インダクタ２５９内でより高いエネルギー伝達を誘導する。その結果、一実施形態において、変圧器１６０及びインダクタ２５９は、縦方向２に対して垂直である方向にガン本体１１ａ内から延在する半径が変圧器１６０及びインダクタ２５９の両方を通過するように、縦方向２に対して半径方向に整列させることができる。これは、ガン本体１１ａ内に配置された変圧器１６０及び照明アセンブリ１５ａ内に配置されたインダクタ２５９を、共に空間的にできるだけ近づけることを確実にする。また、変圧器１６０の第１の中心軸Ａ１及びインダクタ２５９の第２の中心軸Ａ２は、どちらも縦方向２と平行とすることができる。この実施形態において、第１の中心軸Ａ１及び第２の中心軸Ａ２は、変圧器１６０及びインダクタ２５９が互いに対して平行に配向されるように、互いに平行である。別の実施形態において、変圧器１６０の第１の中心軸Ａ１は、縦方向２に対して平行とすることができ、一方で、インダクタ２５９の第２の中心軸Ａ２は、縦方向２に対して垂直とすることができる。この実施形態において、第１の中心軸Ａ１及び第２の中心軸Ａ２は、変圧器１６０及びインダクタ２５９が互いに対して垂直に配向されるように、互いに対して垂直である。別の実施形態において、変圧器１６０の第１の中心軸Ａ１は、縦方向２に対して垂直とすることができ、一方で、インダクタ２５９の第２の中心軸Ａ２は、縦方向に対して平行とすることができる。この実施形態において、第１の中心軸Ａ１及び第２の中心軸Ａ２は、変圧器１６０及びインダクタ２５９が互いに対して垂直に配向されるように、互いに対して垂直である。
【００６８】
照明アセンブリ１５ａは、ＬＥＤ４００が電力供給源４０１及び回路４１０から空間的に分離することができるように構成することができる。一実施形態において、図１５及び図１６に示されるように、電力供給源４０１及びＬＥＤ４００は、どちらもスプレーガン１０ａのバレル３４ａの後部付近において変圧器１６０の近くに位置付けることができる。この実施形態において、スプレーガン１０ａのバレル３４ａの後部付近に照明アセンブリ１５ａ全体を配置することは、スプレーガン１０ａの重心が影響を受けることを防止し、したがって、スプレーガン１０ａがユーザによって保持されるときにバランスを保つのを確実にする。別の実施形態において、電力供給源４０１は、スプレーガン１０ａのバレル３４ａの後部付近において変圧器１６０の近くに位置付けることができ、一方で、ＬＥＤ４００は、スプレーガンのバレル３４ａの前方部分付近に位置付けられる。特に、ＬＥＤ４００は、所与の時間でのスプレーガン１０ａの特定の使用に依存して、スプレーガン１０ａのユーザによる必要に応じて、ノズルアセンブリ３６、バレル３４ａ、又はハンドル３２に沿った任意の場所を含む、ガン本体１１ａに沿った任意の場所に位置付けられることが可能であり得る。
【００６９】
後付け型アタッチメントを有する照明アセンブリ
図２０〜図２２を続けて、照明アセンブリ１５をスプレーガン１０ｂの別の実施形態に接続するためのシステムを示す。スプレーガン１０ｂは、ガン本体６１１を含むことができ、このガン本体は、バレル６３４、縦方向２に沿ってバレル６３４から延在するノズルアセンブリ６３６、及びハンドル６３２を画定することができる。スプレーガン１０ｂは、手動で動作させることができる。スプレーガン１０ｂのバレル６３４は、バレル６３４の頂部から上方へ延在するアプリケータフック６４０を含むことができる。照明アセンブリ１５は、下で更に論じるように、アプリケータフック６４０の前方へバレル６３４に取り外し可能に取り付けることができる。示されるように、ハンドル６３２は、手で把持するように構成され、また、ユーザの手に接触し、かつ接地される部分を含むことができる。ハンドル６３２は、ユーザが手でスプレーガン１０ｃの動作を開始及び終了することを可能にする、トリガアセンブリ６５０などの、アクチュエータアセンブリ６４５を含むことができる。
【００７０】
スプレーガン１０、１０ａとは異なり、コーティング材料供給源６６０は、ハンドル６３２を通すこととは対照的に、バレル６３４の前端部でスプレーガン１０ｂに接続する供給ホース６６４を通してコーティング材料をスプレーガン１０ｂに供給することができる。供給ホース６６４は、バレル６３４の前端部からバレル６３４に取り付けられたノズル６２０まで延在する出口管１８にコーティング材料を輸送することができる。ノズル６２０は、スプレーガン１０ｂの外で出口管１８から受容するコーティング材料をスプレーするためのスロット６２３を含むことができる。水平スロットとして示されるが、スロット６２３は、他の形状を画定して、異なるスプレーパターンを生成できることが想到される。
【００７１】
スプレーガン１０、１０ａのように、スプレーガン１０ｂはまた、ノズル２０内に配置された電極支持アセンブリ６１２も含むことができる。電極支持アセンブリ６１２は、電極６１４を支持することができ、この電極は、コーティング材料がノズル６２０を出るときに帯電させる電界を確立するように構成される。電極６１４は、変圧器６６８を含む電圧増倍器６６６から高電圧の電気エネルギーを受容する。ユーザがアクチュエータアセンブリ６４５を作動させると、電圧増倍器６６６が停止状態から起動状態に移行され、電圧増倍器６６６が高電圧の電気エネルギーを電極６１４に供給する。加えて、起動状態において、変圧器６６８は、磁界Ｈを生成し、この磁界は、照明アセンブリ１５のインダクタ２５９の電流を誘導することができる。照明アセンブリ１５の電力を採取する態様は、上で詳細に説明されており、簡潔にするためにここでは繰り返さない。
【００７２】
図２２を続けて、後付け型アタッチメントを使用した、スプレーガン１０ｂへの照明アセンブリ１５の取り付けを更に詳細に説明する。特に、後付け型アタッチメントは、照明アセンブリ１５をスプレーガン１０ｂに取り付けるために使用されるスリーブ７００とすることができる。スリーブ７００は、照明アセンブリ１５を、示されるスプレーガン１０ｂに加えて、様々なタイプ及び設計のスプレーガンに取り付けることを好都合に可能にする、機能的に柔軟なインタフェースを提供する。例えば、スリーブ７００はまた、照明アセンブリ１５をスプレーガン１０に取り付けるために利用することもできる。スリーブ７００は、上面７０４ａと、上面７０４ａに対向する下面７０４ｂと、を有する、半円形に成形された基部７０４含むことができる。スリーブ７００は、基部７０４の上面７０４ａから延在する延在部７０８を更に含むことができる。延在部７０８は、延在部７０８を通って縦方向に延在する上部ボア７１２、並びに同じく延在部７０８を通って縦方向に延在する、上部ボア７１２から下方へ離間された下部ボア７１０を含むことができる。下部ボア７１０及び上部ボア７１２の各々は、下部ボア７１０及び上部ボア７１２がそれぞれ第１のねじ付きねじ７１６及び第２のねじ付きねじ７１８を受容するように構成されるように、ねじ切りすることができる。
【００７３】
照明アセンブリ１５がスリーブ７００と共にスプレーガン１０ｂに取り付けられたときに、スリーブ７００は、ガン本体６１１と接触している。具体的には、基部７０４の下面７０４ｂは、スプレーガン１０ｂのバレル６３４と接触している。照明アセンブリ１５は、基部７０４の上面７０４ａと接触し、また、ねじ山インサート２１６が延在部７０８の上部ボア７１２と整列するように位置付けることができる。第２のねじ７１８は、上部ボア７１２及びねじ山インサート２１６を通して配置し、かつそれらに係合して、照明アセンブリ１５をスプレーガン１０ｂに結合することができる。照明アセンブリ１５及びスリーブ７００は、延在部７０８の下部ボア７１０が、スプレーガン１０ｂのバレル６３４の中へ延在するボア６７０と整列するように位置付けることもできる。第１のねじ７１６は、下部ボア７１０及びボア６７０を通して配置し、かつそれらに係合して、照明アセンブリ１５及びスリーブ７００をスプレーガン１０ｂに取り付けることができる。照明アセンブリ１５、スリーブ７００、及びスプレーガン１０ｂは、第１のねじ７１６及び第２のねじ７１８を通して取り付けられるように説明されているが、スナップ嵌め、バヨネットなどの他の取り付け手段が想到される。
【００７４】
本発明の様々な発明的態様、概念、及び特徴は、例示的な実施形態において、組み合わせて具現化されるように本明細書で説明され、例示され得るが、これらの様々な態様、概念、及び特徴は、多くの代替の実施形態において、個々に又はそれらの様々な組み合わせ及び副次的な組み合わせのいずれかで使用され得る。本明細書で明示的に除外されない限り、全てのそのような組み合わせ及び副次的な組み合わせは、本発明の範囲内であることを意図する。また更に、代替の材料、構造、構成、方法、回路、装置及び構成要素、ソフトウェア、ハードウェア、制御論理、形態、適合、及び機能に関する代替物、などといった、本発明の様々な態様、概念、及び特徴に関する様々な代替の実施形態が本明細書で説明され得るが、そのような記載は、現在知られているか、後に開発されるかにかかわらず、利用可能な代替の実施形態の完全な、又は包括的なリストであることを意図しない。当業者は、発明の態様、概念、又は特徴のうちの１つ以上を追加的な実施形態に容易に採用することができ、また、そのような実施形態が本明細書で明示的に開示されていない場合であっても、本発明の範囲の範囲内で使用することができる。加えて、本発明のいくつかの特徴、概念、又は態様は、好ましい配設又は方法であるように本明細書で説明され得るが、そのような説明は、明示的にそのように述べられていない限り、そのような特徴が要求されること又は必要であることを示唆することを意図しない。また更に、例示的又は代表的な値及び範囲は、本開示を理解するのを支援するために含まれ得るが、そのような値及び範囲は限定する意味に解釈されるべきではなく、そのように明示的に述べられている場合にのみ決定的な値又は範囲であることを意図する。更に、様々な態様、特徴、及び概念が、本発明の発明的部分又は形成部分であるように本明細書で明示的に識別され得るが、そのような識別は、排他的であることを意図せず、むしろ、そのような特定の発明又はその一部として明示的に識別されることなく、本明細書で完全に説明される発明の態様、概念、及び特徴が存在してもよく、その代わりに、本発明は、添付の特許請求の範囲に、又は関連出願若しくは継続出願の特許請求の範囲に記載されている。例示的な方法又は過程の説明は、全ての場合に必要とされるように全ての工程を含むことに限定されるものではなく、工程が表される順序は、明示的にそのように述べられていない限り、要求されるもの又は必要であるものと解釈されるものでもない。
【００７５】
本発明は、本明細書において限られた数の実施形態を用いて説明されているが、これらの具体的な実施形態は、本明細書において別途記載され、特許請求される本発明の範囲を限定するものではない。本明細書に記載されている物品及び方法の明確な様々な要素の配置及び工程の順序は、限定するものとみなすべきではない。具体的には、方法の工程は、図中のブロックの連続的な一連の参照記号及び進行を参照して説明されているが、方法は、所望により特定の順序で実行されることができる。
【図１】
2020512186.tif 000003
【図２】
2020512186.tif 000004
【図３】
2020512186.tif 000005
【図４】
2020512186.tif 000006
【図５】
2020512186.tif 000007
【図６】
2020512186.tif 000008
【図７】
2020512186.tif 000009
【図８】
2020512186.tif 000010
【図９】
2020512186.tif 000011
【図１０】
2020512186.tif 000012
【図１１】
2020512186.tif 000013
【図１２】
2020512186.tif 000014
【図１３】
2020512186.tif 000015
【図１４Ａ】
2020512186.tif 000016
【図１４Ｂ】
2020512186.tif 000017
【図１４Ｃ】
2020512186.tif 000018
【図１５】
2020512186.tif 000019
【図１６】
2020512186.tif 000020
【図１７】
2020512186.tif 000021
【図１８】
2020512186.tif 000022
【図１９】
2020512186.tif 000023
【図２０】
2020512186.tif 000024
【図２１】
2020512186.tif 000025
【図２２】
2020512186.tif 000026
【国際調査報告】
2020512186.tif 000027
2020512186.tif 000028
2020512186.tif 000029